(57)【要約】【課題】    冷却流体により光変調素子を冷却できかつ、光変調素子を所定位置に位置決めできる光変調素子保持体、光学装置、およびプロジェクタを提供する。【解決手段】光変調素子保持体４４０２は、液晶パネル４４１を嵌合可能とする開口部４４０９Ａ１を有する支持枠体４４０９と、液晶パネル４４１を支持した支持枠体４４０９を挟持する枠状部材４４０５，４４０６と、枠状部材４４０５，４４０６および液晶パネル４４１の間に介在配置される弾性部材４４０７と、枠状部材４４０５，４４０６の外面に配置される透光性基板４４２Ａ，４４３Ａとを含んで構成される。支持枠体４４０９は、枠状部材４４０５，４４０６の側端部から平面的に突出する突出部４４０９Ａ７を有し、突出部４４０９Ａ７には光変調素子保持体４４０２を所定位置に取り付けるための取付孔４４０９Ａ８が形成されている。【選択図】 図８
2005275271.tif 000002
【特許請求の範囲】
【請求項１】
光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、
前記光変調素子を嵌合可能とする開口を有し前記開口に前記光変調素子を嵌合させることで前記光変調素子を支持し前記光変調素子の外形位置を規制する支持枠体と、前記光変調素子の画像形成領域に応じてそれぞれ開口が形成され前記光変調素子を支持した前記支持枠体を挟持する一対の枠状部材と、前記光変調素子の画像形成領域に応じてそれぞれ開口が形成され前記光変調素子および前記支持枠体のうち少なくともいずれか一方および前記一対の枠状部材の間にそれぞれ介在配置される弾性部材と、前記一対の枠状部材における対向する面と反対の面側にそれぞれ配置される一対の透光性基板とを含んで構成され、
前記冷却室は、前記一対の枠状部材の前記開口における前記対向する面側、および前記対向する面と反対の面側が前記光変調素子、前記支持枠体、前記弾性部材、および前記一対の透光性基板にてそれぞれ閉塞されることにより前記一対の枠状部材の双方の内部にそれぞれ形成され、
前記支持枠体は、当該光変調素子保持体を組み立てた際、前記一対の枠状部材の側端部から平面的に突出する少なくとも２つの突出部を有し、
前記突出部には、当該光変調素子保持体を所定位置に取り付けるための取付孔が形成されていることを特徴とする光変調素子保持体。
【請求項２】
請求項１に記載の光変調素子保持体において、
前記支持枠体の前記開口内側面には、内側に向けて突出する複数の突起部が形成され、
前記複数の突起部は、その先端部分にて前記光変調素子の外形位置を規制することを特徴とする光変調素子保持体。
【請求項３】
請求項１または請求項２に記載の光変調素子保持体において、
前記光変調素子は、複数の信号線、前記複数の信号線に接続された複数のスイッチング素子、および前記複数のスイッチング素子に接続された複数の画素電極を有する駆動基板と、前記駆動基板に対向配置され共通電極を有する対向基板と、前記駆動基板および前記対向基板の間に密閉封入される電気光学材料と、前記複数の信号線および前記共通電極と電気的に接続され前記駆動基板および前記対向基板間から延出する回路基板とを含んで構成され、
前記支持枠体は、前記開口を有する支持枠体本体と、前記支持枠体本体による前記光変調素子の支持状態を補助する支持補助部とで構成され、
前記支持補助部は、前記光変調素子における前記回路基板の幅寸法に応じた凹部を有し、前記支持枠体本体に対して取り付けられた際に前記凹部と前記支持枠体本体とで形成される空間に前記光変調素子の前記回路基板を遊嵌配置させることを特徴とする光変調素子保持体。
【請求項４】
請求項１から請求項３のいずれかに記載の光変調素子保持体において、
前記支持枠体は、前記光変調素子の厚み寸法と略同一の厚み寸法を有し、前記開口にて前記光変調素子を支持した際、前記支持枠体の光束入射側端面および光束射出側端面が前記光変調素子の光束入射側端面および光束射出側端面とそれぞれ略面一となることを特徴とする光変調素子保持体。
【請求項５】
請求項４に記載の光変調素子保持体において、
前記弾性部材は、前記光変調素子および前記支持枠体の双方と平面的に干渉するように形成され、前記支持枠体および前記光変調素子の双方と前記一対の枠状部材との間にそれぞれ介在配置されていることを特徴とする光変調素子保持体。
【請求項６】
請求項５に記載の光変調素子保持体において、
前記弾性部材は、前記支持枠体と前記枠状部材との間に介在配置される部分の厚み寸法が前記光変調素子と前記枠状部材との間に介在配置される部分の厚み寸法よりも大きく設定されていることを特徴とする光変調素子保持体。
【請求項７】
請求項５または請求項６に記載の光変調素子保持体において、
前記弾性部材は、前記光変調素子と前記枠状部材との間に介在配置される部分が二色成形で形成され、
前記二色成形で形成される部分は、その内面層が前記支持枠体と前記枠状部材との間に介在配置される部分と同一材料で一体的に構成され、その表面層が前記内面層よりも硬度の低い材料で構成されていることを特徴とする光変調素子保持体。
【請求項８】
請求項１から請求項４のいずれかに記載の光変調素子保持体において、
前記弾性部材は、前記支持枠体のみと平面的に干渉するように形成され、前記支持枠体と前記一対の枠状部材との間にそれぞれ介在配置され、
前記一対の枠状部材の対向する面には、前記光変調素子と平面的に干渉する位置に平面視枠状の凹部がそれぞれ形成され、
当該光変調素子保持体を組み立てた際、前記光変調素子と前記凹部との間に接着剤が充填され、前記一対の枠状部材に対して前記光変調素子が固着されることを特徴とする光変調素子保持体。
【請求項９】
請求項１から請求項８のいずれかに記載の光変調素子保持体において、
前記弾性部材は、前記支持枠体および前記光変調素子のうち少なくともいずれか一方に対向する端面が平面状に形成され、前記平面状の端面から前記一対の枠状部材に対向する端面にかけて断面積が次第に縮小する形状を有していることを特徴とする光変調素子保持体。
【請求項１０】
請求項１から請求項９のいずれかに記載の光変調素子保持体において、
前記一対の枠状部材の対向する面には、前記弾性部材の形状に応じた凹部がそれぞれ形成され、
当該光変調素子保持体を組み立てた際、前記支持枠体および前記光変調素子のうち少なくともいずれか一方と前記凹部とで前記弾性部材を収納可能とする弾性部材収納部が形成されることを特徴とする光変調素子保持体。
【請求項１１】
請求項１から請求項１０のいずれかに記載の光変調素子保持体において、
前記弾性部材は、前記光変調素子および前記支持枠体のうち少なくともいずれか一方、および前記一対の枠状部材の間、ならびに、前記一対の枠状部材および前記一対の透光性基板の間にそれぞれ介在配置され、
前記光変調素子の画像形成領域に応じて開口を有し、前記一対の枠状部材における対向する面と反対の面側に前記弾性部材を介して前記一対の透光性基板をそれぞれ押圧固定する一対の透光性基板固定部材を備え、
各枠状部材における対向する各側端部には、各透光性基板固定部材とそれぞれ係合するための少なくとも２つのフックがそれぞれ形成され、
前記一対の透光性基板固定部材は、前記開口を有する板状体と、前記板状体の対向する各側端部から前記フックに対応してそれぞれ突出し、前記フックとそれぞれ係合するフック係合部とを備えていることを特徴とする光変調素子保持体。
【請求項１２】
請求項１１に記載の光変調素子保持体において、
前記一対の枠状部材、および前記一対の透光性基板固定部材の各板状体は、平面視矩形形状を有し、
前記フックおよび前記フック係合部は、前記一対の枠状部材、および前記各板状体における前記対向する各側端部の角部近傍にそれぞれ形成されていることを特徴とする光変調素子保持体。
【請求項１３】
光源から射出された光束を画像情報に応じて変調して光学像を形成する光変調素子を含んで構成される光学装置であって、
請求項１から請求項１２のいずれかに記載の光変調素子保持体を備えていることを特徴とする光学装置。
【請求項１４】
請求項１３に記載の光学装置において、
前記光変調素子は、複数で構成され、
前記光変調素子保持体は、前記複数の光変調素子に対応して複数で構成され、
前記複数の光変調素子保持体が取り付けられる複数の光束入射側端面を有し前記複数の光変調素子にて変調された各色光を合成して射出する色合成光学装置と、前記光変調素子保持体および前記色合成光学装置の間に介在配置され前記色合成光学装置の複数の光束入射側端面に対して前記複数の光変調素子保持体を取り付けるための複数の支持部材とを備え、
前記支持部材は、前記光変調素子保持体の開口に対応する位置に開口が形成された矩形板状体と、前記矩形板状体の光束入射側端面から突設され、前記光変調素子保持体を構成する支持枠体の少なくとも２つの取付孔に挿通される少なくとも２つのピン状部材とを備えていることを特徴とする光学装置。
【請求項１５】
光源装置と、請求項１３または請求項１４に記載の光学装置と、前記光学装置にて形成された光学像を拡大投射する投射光学装置とを備えていることを特徴とするプロジェクタ。
【発明の詳細な説明】
【技術分野】
【０００１】
本発明は、光変調素子保持体、光学装置、およびプロジェクタに関する。
【背景技術】
【０００２】
従来、光源から射出された光束を画像情報に応じて変調して光学像を形成する複数の光変調装置と、各光変調装置で変調された光束を合成して射出する色合成光学装置と、色合成光学装置にて合成された光束を拡大投射する投射光学装置とを備えるプロジェクタが知られている。
このうち、光変調装置としては、例えば、一対の基板間に液晶等の電気光学材料が密閉封入されたアクティブマトリックス駆動方式の光変調素子が一般的に採用される。具体的に、この光変調素子を構成する一対の基板は、液晶に駆動電圧を印加するためのデータ線、走査線、スイッチング素子、画素電極等が形成された駆動基板と、光束入射側に配置され、共通電極、ブラックマトリックス等が形成された対向基板とで構成されている。
また、この光変調素子の光束入射側および光束射出側には所定の偏光軸を有する光束を透過させる入射側偏光板および射出側偏光板がそれぞれ配置される。
ここで、光源から射出された光束が光変調素子に照射された場合には、液晶層による光吸収とともに、駆動基板に形成されたデータ線および走査線や、対向基板に形成されたブラックマトリックス等による光吸収により、光変調素子の温度が上昇しやすい。また、光源から射出された光束、および光変調素子を透過した光束のうち、所定の偏光軸を有していない光束は、入射側偏光板および射出側偏光板によって吸収され、偏光板に熱が発生しやすい。
【０００３】
このため、このような光学素子を内部に有するプロジェクタは、光学素子の温度上昇を緩和するために、冷却流体を用いた冷却装置を備えた構成が提案されている（例えば、特許文献１参照）。
すなわち、特許文献１に記載の冷却装置は、対向する端面が開口された略直方体状の筐体から構成され、前記開口をガラス板によりそれぞれ閉塞することで内部に冷却流体を密閉封入する冷却室が形成されている。そして、この冷却室内には、上述した光変調素子、入射側偏光板、および射出側偏光板が所定の間隔で離間配置され、冷却流体内に浸漬されている。このような構成により、光源から照射される光束により光変調素子、入射側偏光板、および射出側偏光板に生じる熱を直接、冷却流体に放熱させている。
【０００４】
【特許文献１】特開平１−３０２３８６号公報
【発明の開示】
【発明が解決しようとする課題】
【０００５】
しかしながら、特許文献１に記載の冷却装置では、光変調素子を筐体内における所定の位置に設置することは困難であり、筐体に対する光変調素子の位置決め精度が低い構成である。また、長期間使用した場合に、筐体に対して光変調素子が位置ずれを起こす虞もある。そして、上述したように筐体に対して光変調素子の位置がずれた状態では、光源から射出された光束の光軸に対する光変調素子の位置がずれ、不要な光がスクリーン上に投影されてしまう。
【０００６】
本発明の目的は、冷却流体により光変調素子を冷却できかつ、光変調素子を所定位置に位置決めできる光変調素子保持体、光学装置、およびプロジェクタを提供することにある。
【課題を解決するための手段】
【０００７】
本発明の光変調素子保持体は、光源から射出された光束を画像情報に応じて変調して光学像を形成する光変調素子を保持し、内部に冷却流体が封入される冷却室が形成され、前記冷却室内の冷却流体により前記光変調素子を冷却する光変調素子保持体であって、前記光変調素子を嵌合可能とする開口を有し前記開口に前記光変調素子を嵌合させることで前記光変調素子を支持し前記光変調素子の外形位置を規制する支持枠体と、前記光変調素子の画像形成領域に応じてそれぞれ開口が形成され前記光変調素子を支持した前記支持枠体を挟持する一対の枠状部材と、前記光変調素子の画像形成領域に応じてそれぞれ開口が形成され前記光変調素子および前記支持枠体のうち少なくともいずれか一方および前記一対の枠状部材の間にそれぞれ介在配置される弾性部材と、前記一対の枠状部材における対向する面と反対の面側にそれぞれ配置される一対の透光性基板とを含んで構成され、前記冷却室は、前記一対の枠状部材の前記開口における前記対向する面側、および前記対向する面と反対の面側が前記光変調素子、前記支持枠体、前記弾性部材、および前記一対の透光性基板にてそれぞれ閉塞されることにより前記一対の枠状部材の双方の内部にそれぞれ形成され、前記支持枠体は、当該光変調素子保持体を組み立てた際、前記一対の枠状部材の側端部から平面的に突出する少なくとも２つの突出部を有し、前記突出部には、当該光変調素子保持体を所定位置に取り付けるための取付孔が形成されていることを特徴とする。
【０００８】
ここで、弾性部材としては、以下の構成を採用できる。
例えば、弾性部材を、光変調素子および支持枠体の双方と平面的に干渉するように形成し、光変調素子および支持枠体の双方と、一対の枠状部材との間にそれぞれ介在配置する。
また、例えば、弾性部材を、支持枠体のみと平面的に干渉するように形成し、支持枠体と一対の枠状部材との間にそれぞれ介在配置する。
さらに、例えば、弾性部材を、光変調素子のみと平面的に干渉するように形成し、光変調素子と一対の枠状部材との間にそれぞれ介在配置する。
本発明では、光変調素子保持体は、支持枠体と、一対の枠状部材と、弾性部材と、一対の透光性基板とを含んで構成される。ここで、支持枠体は、開口に光変調素子を嵌合させることで、該光変調素子を位置決めする。そして、一対の枠状部材にて、光変調素子を含む支持枠体を、弾性部材を介して挟持し、一対の枠状部材の対向する面と反対の面側に透光性基板をそれぞれ配置することで光変調素子保持体が組み立てられる。このことにより、従来の筐体内部に光変調素子が収納配置される構成と比較して、支持枠体にて光変調素子の外形位置が規制されるので、光変調素子保持体に対する光変調素子の位置決め精度を向上できる。また、支持枠体にて光変調素子の外周方向の移動が規制され、弾性部材および一対の枠状部材にて光変調素子の厚み方向および傾き方向の移動が規制されるので、長期間使用した場合であっても、光変調素子保持体に対して光変調素子が位置ずれを起こす虞もない。
【０００９】
ところで、例えば、一対の枠状部材に上述した突出部および取付孔が形成されている場合に、光変調素子保持体を所定位置に配置する際には、一対の枠状部材の取付孔に外部からピン状部材を挿通することで前記ピン状部材により一対の枠状部材自体を所定位置に配置することとなる。このため、光変調素子保持体の製造誤差等により、枠状部材に対して支持枠体の位置がずれて設置される場合には、支持枠体に対して光変調素子が位置決めされていても、光変調素子が所定位置から位置ずれを起こしやすい。
本発明では、光変調素子が位置決めされる支持枠体に突出部および取付孔が形成されているので、光変調素子保持体の製造誤差等により枠状部材に対して支持枠体の位置がずれて設置されている場合であっても、支持枠体の取付孔に外部からピン状部材を挿通することで前記ピン状部材により支持枠体自体を所定位置に配置でき、すなわち、支持枠体に位置決めされた光変調素子を所定位置に良好に配置できる。
【００１０】
また、一対の枠状部材の開口における対向する面側、および対向する面と反対の面側が、支持枠体、弾性部材、光変調素子、および透光性基板にてそれぞれ閉塞されることにより、光変調素子の光束入射側および光束射出側の双方に冷却室が形成されるので、光変調素子を冷却流体により効率的に冷却できる。
したがって、冷却流体により光変調素子を効率的に冷却できかつ、光変調素子を所定位置に位置決めできるので、本発明の目的を達成できる。
また、予め光変調素子を支持枠体に支持させた状態で光変調素子保持体内に組み込むことで、従来のような裸状態の光変調素子を筐体内に収納配置する構成と比較して、光変調素子の取り扱い時に他の部材に衝突して該光変調素子が破損する虞もない。
【００１１】
本発明の光変調素子保持体では、前記支持枠体の前記開口内側面には、内側に向けて突出する複数の突起部が形成され、前記複数の突起部は、その先端部分にて前記光変調素子の外形位置を規制することが好ましい。
本発明によれば、支持枠体の開口内側面には複数の突起部が形成されているので、複数の突起部の突出寸法分、および複数の突起部間の離間した距離寸法分だけ、支持枠体の開口内側面と光変調素子の外周面との間に隙間が形成される。このため、複数の突起部により光変調素子の外形位置を良好に規制しつつ、例えば、前記隙間に接着剤を充填することで支持枠体に対して光変調素子を容易にかつ、確実に位置決め固定できる。
【００１２】
本発明の光変調素子保持体では、前記光変調素子は、複数の信号線、前記複数の信号線に接続された複数のスイッチング素子、および前記複数のスイッチング素子に接続された複数の画素電極を有する駆動基板と、前記駆動基板に対向配置され共通電極を有する対向基板と、前記駆動基板および前記対向基板の間に密閉封入される電気光学材料と、前記複数の信号線および前記共通電極と電気的に接続され前記駆動基板および前記対向基板間から延出する回路基板とを含んで構成され、前記支持枠体は、前記開口を有する支持枠体本体と、前記支持枠体本体による前記光変調素子の支持状態を補助する支持補助部とで構成され、前記支持補助部は、前記光変調素子における前記回路基板の幅寸法に応じた凹部を有し、前記支持枠体本体に対して取り付けられた際に前記凹部と前記支持枠体本体とで形成される空間に前記光変調素子の前記回路基板を遊嵌配置させることが好ましい。
本発明によれば、支持枠体が支持枠体本体および支持補助部で構成され、支持補助部には凹部が形成されているので、凹部と支持枠体本体の端面とで形成される空間内に光変調素子の回路基板を遊嵌状態で配置させることができる。このため、光変調素子保持体を組み立てた状態では、弾性部材および／または枠状部材により回路基板が押圧されることなく、回路基板に負荷を与えない状態で良好に配置させることができる。
また、例えば、駆動基板および対向基板に対する回路基板の接着剤による接着部位が膨出している場合であっても、前記空間内に接着部位を配置することができ、弾性部材および／または枠状部材により前記接着部位に余計な負荷を与えることがない。
【００１３】
本発明の光変調素子保持体では、前記支持枠体は、前記光変調素子の厚み寸法と略同一の厚み寸法を有し、前記開口にて前記光変調素子を支持した際、前記支持枠体の光束入射側端面および光束射出側端面が前記光変調素子の光束入射側端面および光束射出側端面とそれぞれ略面一となることが好ましい。
ところで、支持枠体の厚み寸法と光変調素子の厚み寸法が異なる場合には、以下の問題が生じる。
例えば、支持枠体の厚み寸法に比較して光変調素子の厚み寸法が大きく設定されている場合には、光変調素子の外周部分が露出することとなる。このため、該露出部分に冷却流体が接触した場合には、光変調素子内部に冷却流体が流入してしまう虞がある。
また、例えば、支持枠体の厚み寸法に比較して光変調素子の厚み寸法が小さく設定されている場合には、支持枠体の光束入射側端面および／または光束射出側端面に対して光変調素子の光束入射側端面および／または光束射出側端面が厚み方向に窪んだ配置となる。この構成では、光変調素子保持体を組み立てた状態では、弾性部材が光変調素子および支持枠体のうち少なくともいずれか一方と一対の枠状部材とにより押圧された際、その反力により弾性部材が光変調素子側に逃げやすい。このため、弾性部材により一対の枠状部材と支持枠体および光変調素子との間での防水性を確保することが難しい。
本発明では、支持枠体は、開口にて光変調素子を支持した際、光変調素子の光束入射側端面および光束射出側端面と略面一となるので、光変調素子の外周が支持枠体の開口内側面により覆われることとなる。このため、光変調素子の外周に冷却流体が接触することなく光変調素子内部に冷却流体が流入することを回避できるとともに、弾性部材が光変調素子側に逃げることなく一対の枠状部材と支持枠体および光変調素子との間での防水性を良好に確保できる。
【００１４】
本発明の光変調素子保持体では、前記弾性部材は、前記光変調素子および前記支持枠体の双方と平面的に干渉するように形成され、前記支持枠体および前記光変調素子の双方と前記一対の枠状部材との間にそれぞれ介在配置されていることが好ましい。
本発明によれば、弾性部材が光変調素子および支持枠体の双方と平面的に干渉するように形成されているので、支持枠体および光変調素子の双方に跨るように弾性部材を配置でき、弾性部材による一対の枠状部材と支持枠体および光変調素子との間での防水性を良好に確保しつつ、支持枠体および光変調素子の隙間から光変調素子内部に冷却流体が流入することを確実に防止できる。
また、支持枠体は、光変調素子の光束入射側および光束射出側と略面一となるので、光変調素子を組み立てた状態で、弾性部材が押圧されることによる反力を支持枠体および光変調素子の双方に分散させることができ、光変調素子にかかる弾性部材の反力を低減できる。このため、弾性部材の反力による光変調素子の歪みを抑制でき、光変調素子の歪みによる画質の劣化を抑制できる。
【００１５】
本発明の光変調素子保持体では、前記弾性部材は、前記支持枠体と前記枠状部材との間に介在配置される部分の厚み寸法が前記光変調素子と前記枠状部材との間に介在配置される部分の厚み寸法よりも大きく設定されていることが好ましい。
本発明によれば、弾性部材は、支持枠体と枠状部材との間に介在配置される部分の厚み寸法が光変調素子と枠状部材との間に介在配置される部分の厚み寸法よりも大きく設定されているので、光変調素子保持体を組み立てた状態で、弾性部材が押圧されることによる反力を主に支持枠体側にかけることができる。このため、弾性部材による一対の枠状部材と支持枠体および光変調素子との間での防水性を良好に維持しつつ、光変調素子の歪みによる画質の劣化をさらに抑制できる。
【００１６】
本発明の光変調素子保持体では、前記弾性部材は、前記光変調素子と前記枠状部材との間に介在配置される部分が二色成形で形成され、前記二色成形で形成される部分は、その内面層が前記支持枠体と前記枠状部材との間に介在配置される部分と同一材料で一体的に構成され、その表面層が前記内面層よりも硬度の低い材料で構成されていることが好ましい。
本発明によれば、弾性部材における光変調素子と枠状部材との間に介在配置される部分が二色成形で形成され、その表面層の硬度が支持枠体と枠状部材との間に配置される部分の硬度よりも低くなるように設定されているので、光変調素子保持体を組み立てた状態で、弾性部材が押圧されることにより光変調素子側にかかる反力をさらに低減させることができる。このため、弾性部材による一対の枠状部材と支持枠体および光変調素子との間での防水性を良好に維持しつつ、光変調素子の歪みによる画質の劣化をさらに抑制できる。
また、光変調素子および枠状部材の間に介在配置される部分を二色成形で形成するので、光変調素子および枠状部材の間に介在配置される部分と、支持枠体および枠状部材の間に介在配置される部分とを容易に一体成形できるとともに、これら各部分における表面硬度を異なる硬度で容易に形成できる。
【００１７】
本発明の光変調素子保持体では、前記弾性部材は、前記支持枠体のみと平面的に干渉するように形成され、前記支持枠体と前記一対の枠状部材との間にそれぞれ介在配置され、前記一対の枠状部材の対向する面には、前記光変調素子と平面的に干渉する位置に平面視枠状の凹部がそれぞれ形成され、当該光変調素子保持体を組み立てた際、前記光変調素子と前記凹部との間に接着剤が充填され、前記一対の枠状部材に対して前記光変調素子が固着されることが好ましい。
本発明によれば、弾性部材が支持枠体と一対の枠状部材との間にそれぞれ介在配置され、一対の枠状部材における枠状の凹部と光変調素子との間には接着剤が充填されるので、これら弾性部材および接着剤の双方により一対の枠状部材と支持枠体および光変調素子との間での防水性を良好に確保できる。また、上述したように、弾性部材が支持枠体のみと平面的に干渉するように形成されていても、光変調素子の外形位置よりも内側に接着剤が位置するので、接着剤にて冷却流体を封止することで支持枠体と光変調素子との隙間に冷却流体が流入する虞もない。
また、光変調素子保持体を組み立てた状態で弾性部材が押圧されても、押圧による弾性部材の反力が光変調素子にかかることはない。このため、光変調素子が弾性部材の反力により歪むこともなく、光変調素子の歪みによる画質の劣化が生じることもない。
さらに、一対の枠状部材における枠状の凹部と光変調素子との間に接着剤が充填されるので、接着剤が光変調素子の不要な部分、例えば、画像形成領域に付着することを回避できる。
【００１８】
本発明の光変調素子保持体では、前記弾性部材は、前記支持枠体および前記光変調素子のうち少なくともいずれか一方に対向する端面が平面状に形成され、前記平面状の端面から前記一対の枠状部材に対向する端面にかけて断面積が次第に縮小する形状を有していることが好ましい。
本発明によれば、弾性部材は、一方の端面が平面状に形成され、一方の端面から他方の端面にかけて断面積が次第に縮小する形状を有しているので、例えば、弾性部材が断面略矩形状に形成されている構成と比較して、光変調素子保持体を組み立てた状態で、弾性部材が押圧されることによる該弾性部材の反力を良好に分散させることができる。したがって、一対の枠状部材と支持枠体および光変調素子との間での防水性を良好に維持しつつ、例えば弾性部材が光変調素子の端面に当接する場合であっても光変調素子にかかる弾性部材の反力を低減させることができ光変調素子の歪みによる画質の劣化をさらに抑制することが可能となる。
【００１９】
本発明の光変調素子保持体では、前記一対の枠状部材の対向する面には、前記弾性部材の形状に応じた凹部がそれぞれ形成され、当該光変調素子保持体を組み立てた際、前記支持枠体および前記光変調素子のうち少なくともいずれか一方と前記凹部とで前記弾性部材を収納可能とする弾性部材収納部が形成されていることが好ましい。
本発明によれば、光変調素子保持体を組み立てた際、支持枠体および光変調素子のうち少なくともいずれか一方と一対の枠状部材の対向する面に形成された凹部とで、弾性部材収納部が形成されるので、弾性部材が押圧された際の反力、および各冷却室内の冷却流体の圧力変化等によっても、弾性部材が位置ずれを起こすことがない。したがって、弾性部材により一対の枠状部材と支持枠体および光変調素子との間での防水性をさらに一層確保できる。
【００２０】
本発明の光変調素子保持体では、前記弾性部材は、前記光変調素子および前記支持枠体のうち少なくともいずれか一方、および前記一対の枠状部材の間、ならびに、前記一対の枠状部材および前記一対の透光性基板の間にそれぞれ介在配置され、前記光変調素子の画像形成領域に応じて開口を有し、前記一対の枠状部材における対向する面と反対の面側に前記弾性部材を介して前記一対の透光性基板をそれぞれ押圧固定する一対の透光性基板固定部材を備え、各枠状部材における対向する各側端部には、各透光性基板固定部材とそれぞれ係合するための少なくとも２つのフックがそれぞれ形成され、前記一対の透光性基板固定部材は、前記開口を有する板状体と、前記板状体の対向する各側端部から前記フックに対応してそれぞれ突出し、前記フックとそれぞれ係合するフック係合部とを備えていることが好ましい。
本発明では、枠状部材には、対向する各側端部に少なくとも２つのフックがそれぞれ形成されている。すなわち、枠状部材には、少なくとも４つのフックが形成されている。また、透光性基板固定部材には、板状体の対向する各側端部にフックに対応して少なくとも２つのフック係合部がそれぞれ形成されている。すなわち、透光性基板固定部材には、少なくとも４つのフック係合部が形成されている。このことにより、各透光性基板固定部材の少なくとも４つのフック係合部を各枠状部材の少なくとも４つのフックに係合させることで、弾性部材を介して一対の透光性基板を一対の枠状部材に対して良好に押圧固定でき、弾性部材により一対の枠状部材と一対の透光性基板との間での防水性を良好に確保できる。
【００２１】
本発明の光変調素子保持体では、前記一対の枠状部材、および前記一対の透光性基板固定部材の各板状体は、平面視矩形形状を有し、前記フックおよび前記フック係合部は、前記一対の枠状部材、および前記各板状体における前記対向する各側端部の角部近傍にそれぞれ形成されていることが好ましい。
本発明では、フックは、平面視矩形状の枠状部材における対向する各側端部の角部近傍にそれぞれ形成される。すなわち、フックは、平面的に見て枠状部材における四隅位置近傍に配置される。また、フック係合部も同様に、平面視矩形状の板状体における対向する各側端部の角部近傍にそれぞれ形成される。すなわち、フック係合部も、平面的に見て透光性基板固定部材における四隅位置近傍に配置される。このため、一対の枠状部材に対する一対の透光性基板固定部材の接続箇所が略均等配置することとなる。このことにより、一対の透光性基板固定部材を一対の枠状部材に対して設置した際に一対の透光性基板および一対の枠状部材で押圧される弾性部材の潰し代を略均一化でき、弾性部材により一対の枠状部材と一対の透光性基板との間での防水性をさらに良好に確保できるとともに、一対の枠状部材に対して一対の透光性基板をさらに良好に押圧固定できる。
【００２２】
本発明の光学装置は、光源から射出された光束を画像情報に応じて変調して光学像を形成する光変調素子を含んで構成される光学装置であって、上述した光変調素子保持体を備えていることを特徴とする。
本発明によれば、光学装置は、光変調素子と、上述した光変調素子保持体を備えているので、上述した光変調素子保持体と同様の作用・効果を享受できる。
【００２３】
本発明の光学装置では、前記光変調素子は、複数で構成され、前記光変調素子保持体は、前記複数の光変調素子に対応して複数で構成され、前記複数の光変調素子保持体が取り付けられる複数の光束入射側端面を有し前記複数の光変調素子にて変調された各色光を合成して射出する色合成光学装置と、前記光変調素子保持体および前記色合成光学装置の間に介在配置され前記色合成光学装置の複数の光束入射側端面に対して前記複数の光変調素子保持体を取り付けるための複数の支持部材とを備え、前記支持部材は、前記光変調素子保持体の開口に対応する開口が形成された矩形板状体と、前記矩形板状体の光束入射側端面から突設され、前記光変調素子保持体を構成する支持枠体の少なくとも２つの取付孔に挿通される少なくとも２つのピン状部材とを備えていることが好ましい。
本発明によれば、光変調素子保持体を構成する支持枠体の取付孔に支持部材に突設されたピン状部材を挿通し、支持部材と光変調素子保持体とを接着固定し、色合成光学装置の光束入射側端面に対して支持部材の光束射出側端面を取り付けることで、複数の光変調素子保持体と色合成光学装置とを容易に一体化することができる。
また、ピン状部材の外側面、および取付孔の内側面を摺動面とし支持部材に対して光変調素子を移動させ、さらに、支持部材の光束射出側端面、および色合成光学装置の光束入射側端面を摺動面とし色合成光学装置に対して支持部材を移動させることで、各光変調素子の相互の位置調整を容易に実施でき、各光変調素子を所定位置に容易に設置できる。このため、光学装置にて画素ずれのない良好な光学像を形成できる。
【００２４】
本発明のプロジェクタは、光源装置と、上述した光学装置と、前記光学装置にて形成された光学像を拡大投射する投射光学装置とを備えていることを特徴とする。
本発明によれば、プロジェクタは、光源装置、上述した光学装置、および投射光学装置を備えているので、上述した光学装置と同様の作用・効果を享受できる。
また、プロジェクタは、光変調素子を所定位置に位置決めできる光学装置を備えているので、光源装置から射出された光束の光軸に対する光変調素子の位置がずれることがなく、不要な光がスクリーン上に投影されることがない。
【発明を実施するための最良の形態】
【００２５】
[第１実施形態]
以下、本発明の第１実施形態を図面に基づいて説明する。
〔プロジェクタの構成〕
図１は、プロジェクタ１の概略構成を模式的に示す図である。
プロジェクタ１は、光源から射出される光束を画像情報に応じて変調して光学像を形成し、形成した光学像をスクリーン上に拡大投射するものである。このプロジェクタ１は、外装ケース２と、冷却ユニット３と、光学ユニット４と、投射光学装置としての投射レンズ５とを備える。
なお、図１において、図示は省略するが、外装ケース２内において、冷却ユニット３、光学ユニット４、および投射レンズ５以外の空間には、電源ブロック、ランプ駆動回路等が配置されるものとする。
【００２６】
外装ケース２は、合成樹脂等から構成され、冷却ユニット３、光学ユニット４、および投射レンズ５を内部に収納配置する全体略直方体状に形成されている。この外装ケース２は、図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
なお、外装ケース２は、合成樹脂製に限らず、その他の材料にて形成してもよく、例えば、金属等により構成してもよい。
また、図示は省略するが、この外装ケース２には、冷却ユニット３によりプロジェクタ１外部から冷却空気を内部に導入するための吸気口（例えば、図２に示す吸気口２２）、およびプロジェクタ１内部で温められた空気を排出するための排気口が形成されている。
さらに、この外装ケース２には、図１に示すように、投射レンズ５の側方で外装ケース２の角部分に位置し、光学ユニット４の後述する光学装置のラジエータを他の部材と隔離する隔壁２１が形成されている。
【００２７】
冷却ユニット３は、プロジェクタ１内部に形成される冷却流路に冷却空気を送り込み、プロジェクタ１内で発生する熱を冷却する。この冷却ユニット３は、投射レンズ５の側方に位置し、外装ケース２に形成された図示しない吸気口からプロジェクタ１外部の冷却空気を内部に導入して光学ユニット４の後述する光学装置の液晶パネルに冷却空気を吹き付けるシロッコファン３１と、外装ケース２に形成された隔壁２１内部に位置し、外装ケース２に形成された吸気口２２（図２参照）からプロジェクタ１外部の冷却空気を内部に導入して光学ユニット４の後述するラジエータに冷却空気を吹き付ける軸流ファン３２とを備える。
なお、この冷却ユニット３は、図示は省略するが、シロッコファン３１および軸流ファン３２の他、光学ユニット４の後述する光源装置、および図示しない電源ブロック、ランプ駆動回路等を冷却するための冷却ファンも有しているものとする。
【００２８】
光学ユニット４は、光源から射出された光束を、光学的に処理して画像情報に対応して光学像（カラー画像）を形成するユニットである。この光学ユニット４は、図１に示すように、外装ケース２の背面に沿って延出するとともに、外装ケース２の側面に沿って延出する平面視略Ｌ字形状を有している。なお、この光学ユニット４の詳細な構成については、後述する。
投射レンズ５は、複数のレンズが組み合わされた組レンズとして構成される。そして、この投射レンズ５は、光学ユニット４にて形成された光学像（カラー画像）を図示しないスクリーン上に拡大投射する。
【００２９】
〔光学ユニットの詳細な構成〕
光学ユニット４は、図１に示すように、インテグレータ照明光学系４１と、色分離光学系４２と、リレー光学系４３と、光学装置４４と、光学部品４１〜４３および光学装置４４の後述する光学装置本体を収納配置する光学部品用筐体４５とを備える。
インテグレータ照明光学系４１は、光学装置４４を構成する後述する液晶パネルの画像形成領域を略均一に照明するための光学系である。このインテグレータ照明光学系４１は、図１に示すように、光源装置４１１と、第１レンズアレイ４１２と、第２レンズアレイ４１３と、偏光変換素子４１４と、重畳レンズ４１５とを備える。
【００３０】
光源装置４１１は、放射状の光線を射出する光源ランプ４１６と、この光源ランプ４１６から射出された放射光を反射するリフレクタ４１７とを備える。光源ランプ４１６としては、ハロゲンランプやメタルハライドランプ、高圧水銀ランプが多用される。また、リフレクタ４１７としては、図１では、放物面鏡を採用しているが、これに限らず、楕円面鏡で構成し、光束射出側に該楕円面鏡により反射された光束を平行光とする平行化凹レンズを採用した構成としてもよい。
第１レンズアレイ４１２は、光軸方向から見て略矩形状の輪郭を有する小レンズがマトリクス状に配列された構成を有している。各小レンズは、光源装置４１１から射出される光束を、複数の部分光束に分割している。
第２レンズアレイ４１３は、第１レンズアレイ４１２と略同様な構成を有しており、小レンズがマトリクス状に配列された構成を有している。この第２レンズアレイ４１３は、重畳レンズ４１５とともに、第１レンズアレイ４１２の各小レンズの像を光学装置４４の後述する液晶パネル上に結像させる機能を有している。
【００３１】
偏光変換素子４１４は、第２レンズアレイ４１３と重畳レンズ４１５との間に配置され、第２レンズアレイ４１３からの光を略１種類の偏光光に変換するものである。
具体的に、偏光変換素子４１４によって略１種類の偏光光に変換された各部分光は、重畳レンズ４１５によって最終的に光学装置４４の後述する液晶パネル上にほぼ重畳される。偏光光を変調するタイプの液晶パネルを用いたプロジェクタでは、１種類の偏光光しか利用できないため、ランダムな偏光光を発する光源装置４１１からの光の略半分を利用できない。このため、偏光変換素子４１４を用いることで、光源装置４１１からの射出光を略１種類の偏光光に変換し、光学装置４４での光の利用効率を高めている。
【００３２】
色分離光学系４２は、図１に示すように、２枚のダイクロイックミラー４２１，４２２と、反射ミラー４２３とを備え、ダイクロイックミラー４２１，４２２によりインテグレータ照明光学系４１から射出された複数の部分光束を、赤、緑、青の３色の色光に分離する機能を有している。
リレー光学系４３は、図１に示すように、入射側レンズ４３１、リレーレンズ４３３、および反射ミラー４３２，４３４を備え、色分離光学系４２で分離された赤色光を光学装置４４の後述する赤色光用の液晶パネルまで導く機能を有している。
【００３３】
この際、色分離光学系４２のダイクロイックミラー４２１では、インテグレータ照明光学系４１から射出された光束の青色光成分が反射するとともに、赤色光成分と緑色光成分とが透過する。ダイクロイックミラー４２１によって反射した青色光は、反射ミラー４２３で反射し、フィールドレンズ４１８を通って光学装置４４の後述する青色光用の液晶パネルに達する。このフィールドレンズ４１８は、第２レンズアレイ４１３から射出された各部分光束をその中心軸（主光線）に対して平行な光束に変換する。他の緑色光用、赤色光用の液晶パネルの光入射側に設けられたフィールドレンズ４１８も同様である。
【００３４】
ダイクロイックミラー４２１を透過した赤色光と緑色光のうちで、緑色光はダイクロイックミラー４２２によって反射し、フィールドレンズ４１８を通って光学装置４４の後述する緑色光用の液晶パネルに達する。一方、赤色光はダイクロイックミラー４２２を透過してリレー光学系４３を通り、さらにフィールドレンズ４１８を通って光学装置４４の後述する赤色光用の液晶パネルに達する。なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１８に伝えるためである。本実施形態においては赤色光の光路長が長いのでこのような構成とされているが青色光の光路長を長くする構成も考えられる。
【００３５】
光学装置４４は、図１に示すように、光変調素子としての３枚の液晶パネル４４１（赤色光用の液晶パネルを４４１Ｒ、緑色光用の液晶パネルを４４１Ｇ、青色光用の液晶パネルを４４１Ｂとする）と、この液晶パネル４４１の光束入射側および光束射出側に配置される入射側偏光板４４２および射出側偏光板４４３と、色合成光学装置としてのクロスダイクロイックプリズム４４４とが一体的に形成されたものである。
なお、光学装置４４は、具体的な構成は後述するが、液晶パネル４４１、入射側偏光板４４２、射出側偏光板４４３、およびクロスダイクロイックプリズム４４４以外に、メインタンク、流体圧送部、ラジエータ、流体循環部材、流体分岐部、光変調素子保持体、支持部材、および中継タンクを備える。
【００３６】
液晶パネル４４１は、ガラスなどからなる一対の基板４４１Ｃ，４４１Ｄ（図８参照）に電気光学材料である液晶が密閉封入された構成を有している。このうち、基板４４１Ｃ（図８参照）は、液晶を駆動するための駆動基板であり、互いに平行に配列形成される複数のデータ線と、複数のデータ線と直交する方向に配列形成される複数の走査線と、走査線およびデータ線の交差に対応してマトリクス状に配列形成される画素電極と、ＴＦＴ等のスイッチング素子とを有している。また、基板４４１Ｄ（図８参照）は、基板４４１Ｃに対して所定間隔を空けて対向配置される対向基板であり、所定の電圧Ｖcomが印加される共通電極を有している。そして、これら基板４４１Ｃ，４４１Ｄには、図示しない制御装置と電気的に接続し、前記走査線、前記データ線、前記スイッチング素子、および前記共通電極等に所定の駆動信号を出力する回路基板としてのフレキシブルプリント基板４４１Ｅ（図８参照）が接続されている。このフレキシブルプリント基板４４１Ｅ（図８参照）を介して前記制御装置から駆動信号を入力することで、所定の前記画素電極と前記共通電極との間に電圧が印加され、該画素電極および共通電極間に介在する液晶の配向状態が制御され、入射側偏光板４４２から射出された偏光光束の偏光方向が変調される。
このフレキシブルプリント基板４４１Ｅ（図８参照）において、下端側の幅方向略中央部分には、挿通孔４４１Ｅ１が形成されている。そして、この挿通孔４４１Ｅ１には、光学装置４４を構成する後述する光変調素子保持体の筒状部が挿通される。
そして、この液晶パネル４４１において、駆動基板４４１Ｃの外形形状は対向基板４４１Ｄの外形形状よりも大きく設定される。すなわち、この液晶パネル４４１は、光束入射側に向かうにしたがって、外形形状が小さくなる段付状に形成されている。
【００３７】
入射側偏光板４４２は、偏光変換素子４１４で偏光方向が略一方向に揃えられた各色光が入射され、入射された光束のうち、偏光変換素子４１４で揃えられた光束の偏光軸と略同一方向の偏光光のみ透過させ、その他の光束を吸収するものである。この入射側偏光板４４２は、白板・強化ガラス（テンパックス）等の透光性基板４４２Ａ（図８参照）上に偏光膜（図示省略）が貼付された構成を有している。
射出側偏光板４４３は、入射側偏光板４４２と同様に透光性基板４４３Ａおよび偏光膜４４３Ｂ（図８参照）を有し、液晶パネル４４１から射出された光束のうち、入射側偏光板４４２における光束の透過軸と直交する偏光軸を有する光束のみ透過させ、その他の光束を吸収するものである。
なお、上述した入射側偏光板４４２および射出側偏光板４４３の透光性基板４４２Ａ，４４３Ａは、白板・強化ガラス（テンパックス）に限らず、熱伝導性の良好なサファイアガラス、水晶、またはＹＡＧ（Yttrium Aluminum Garnet）等で構成してもよい。このような構成では、入射側偏光板４４２の偏光膜、および射出側偏光板４４３の偏光膜４４３Ｂに生じた熱を透光性基板４４２Ａ，４４３Ａに良好に放熱できる。
また、透光性基板４４２Ａ，４４３Ａの厚み寸法は、０．５ｍｍ以上であることが好ましく、さらに好ましくは０．７ｍｍ〜１．１ｍｍであることが好ましい。このような構成では、後述する弾性部材が押圧されることによる反力を受けても、透光性基板４４２Ａ，４４３Ａが変形することがなく、偏光板４４２，４４３の偏光軸が狂うことを回避できる。このため、コントラスト等の光学性能を良好に維持できる。
【００３８】
クロスダイクロイックプリズム４４４は、射出側偏光板４４３から射出された色光毎に変調された光学像を合成してカラー画像を形成する光学素子である。このクロスダイクロイックプリズム４４４は、４つの直角プリズムを貼り合わせた平面視略正方形状をなし、直角プリズム同士を貼り合わせた界面には、２つの誘電体多層膜が形成されている。これら誘電体多層膜は、液晶パネル４４１Ｒ，４４１Ｂから射出され射出側偏光板４４３を介した色光を反射し、液晶パネル４４１Ｇから射出され射出側偏光板４４３を介した色光を透過する。このようにして、各液晶パネル４４１Ｒ，４４１Ｇ，４４１Ｂにて変調された各色光が合成されてカラー画像が形成される。
【００３９】
図２は、プロジェクタ１内の一部を上方側から見た斜視図である。なお、図２において、光学部品用筐体４５内の光学部品は、説明を簡略化するために、光学装置４４の後述する光学装置本体のみを図示し、その他の光学部品４１〜４３は省略している。
図３は、プロジェクタ１内の一部を下方側から見た斜視図である。
光学部品用筐体４５は、例えば、金属製部材から構成され、図１に示すように、内部に所定の照明光軸Ａが設定され、上述した光学部品４１〜４３、および光学装置４４の後述する光学装置本体を照明光軸Ａに対する所定位置に収納配置する。なお、光学部品用筐体４５は、金属製部材に限らず、その他の材料にて構成してもよく、特に熱伝導性材料で構成することが好ましい。この光学部品用筐体４５は、図２に示すように、光学部品４１〜４３、および光学装置４４の後述する光学装置本体を収納する容器状の部品収納部材４５１と、部品収納部材４５１の開口部分を閉塞する図示しない蓋状部材とで構成される。
【００４０】
このうち、部品収納部材４５１は、光学部品用筐体４５の底面、前面、および側面をそれぞれ構成する。
この部品収納部材４５１において、側面の内側面には、図２に示すように、上述した光学部品４１２〜４１５，４１８，４２１〜４２３，４３１〜４３４を上方からスライド式に嵌め込むための溝部４５１Ａが形成されている。
また、側面の正面部分には、図２に示すように、投射レンズ５を光学ユニット４に対して所定位置に設置するための投射レンズ設置部４５１Ｂが形成されている。この投射レンズ設置部４５１Ｂは、平面視略矩形状に形成され、平面視略中央部分には光学装置４４からの光束射出位置に対応して円形状の図示しない孔が形成されており、光学ユニット４にて形成されたカラー画像が前記孔を通して投射レンズ５にて拡大投射される。
また、この部品収納部材４５１において、底面には、図３に示すように、光学装置４４の液晶パネル４４１位置に対応して形成された３つの孔４５１Ｃと、光学装置４４の後述する流体分岐部の冷却流体流入部に対応して形成された孔４５１Ｄとが形成されている。ここで、冷却ユニット３のシロッコファン３１によりプロジェクタ１外部から内部に導入された冷却空気は、シロッコファン３１の吐出口３１Ａ（図３）から吐出され、図示しないダクトを介して前記孔４５１Ｃに導かれる。
【００４１】
〔光学装置の構成〕
光学装置４４は、図２または図３に示すように、液晶パネル４４１、入射側偏光板４４２、射出側偏光板４４３、およびクロスダイクロイックプリズム４４４が一体化された光学装置本体４４０（図２）と、メインタンク４４５と、流体圧送部４４６と、ラジエータ４４７と、複数の流体循環部材４４８とを備える。
複数の流体循環部材４４８は、内部に冷却流体が対流可能にアルミニウム製の管状部材で構成され、冷却流体が循環可能に各部材４４０，４４５〜４４７を接続する。そして、循環する冷却流体により光学装置本体４４０を構成する液晶パネル４４１、入射側偏光板４４２、および射出側偏光板４４３に生じる熱を冷却する。
なお、本実施形態では、冷却流体として、透明性の非揮発性液体であるエチレングリコールを採用する。冷却流体としては、エチレングリコールに限らず、その他の液体を採用してもよい。
以下では、各部材４４０，４４５〜４４７を、循環する冷却流体の流路に沿って液晶パネル４４１に対する上流側から順に説明する。
【００４２】
〔メインタンクの構造〕
図４は、メインタンク４４５の構造を示す図である。具体的に、図４（Ａ）は、メインタンク４４５を上方から見た平面図である。また、図４（Ｂ）は、図４（Ａ）におけるＡ-Ａ線の断面図である。
メインタンク４４５は、略円柱形状を有し、アルミニウム製の２つの容器状部材から構成され、２つの容器状部材の開口部分を互いに接続することで内部に冷却流体を一時的に蓄積する。これら容器状部材は、例えば、シール溶接またはゴム等の弾性部材を介在させることで接続される。
【００４３】
このメインタンク４４５において、円柱軸方向略中央部分には、図４（Ｂ）に示すように、冷却流体を内部に流入させる冷却流体流入部４４５Ａおよび内部の冷却流体を外部に流出させる冷却流体流出部４４５Ｂが形成されている。
これら冷却流体流入部４４５Ａおよび冷却流体流出部４４５Ｂは、流体循環部材４４８の管径寸法よりも小さい管径寸法を有する略筒状部材から構成され、メインタンク４４５の内外に突出するように配置されている。そして、冷却流体流入部４４５Ａの外側に突出した一端には、流体循環部材４４８の一端が接続され、該流体循環部材４４８を介して外部からの冷却流体がメインタンク４４５内部に流入する。また、冷却流体流出部４４５Ｂの外側に突出した一端にも、流体循環部材４４８の一端が接続され、該流体循環部材４４８を介してメインタンク４４５内部の冷却流体が外部へと流出する。
また、冷却流体流入部４４５Ａおよび冷却流体流出部４４５Ｂの内側に突出した他端は、図４（Ａ）に示すように、メインタンク４４５の円柱軸に向けて延出し、平面的に視て略直交するようにそれぞれ配置されている。このように、冷却流体流入部４４５Ａおよび冷却流体流出部４４５Ｂを平面的に視て略直交するようにそれぞれ配置することで、冷却流体流入部４４５Ａを介してメインタンク４４５内部に流入した冷却流体が、冷却流体流出部４４５Ｂを介して直ぐに外部に流出することを回避でき、流入した冷却流体をメインタンク４４５内部の冷却流体と混合させ、冷却流体の温度の均一化を図っている。
【００４４】
また、このメインタンク４４５の外周面において、円柱軸方向略中央部分には、図４（Ａ）に示すように、２つの容器状部材のそれぞれに３つの固定部４４５Ｃが形成され、該固定部４４５Ｃにねじ４４５Ｄ（図２、図３）を挿通し、外装ケース２の底面に螺合することで、２つの容器状部材が互いに密接して接続されるとともに、メインタンク４４５が外装ケース２に固定される。
そして、このメインタンク４４５は、図１または図２に示すように、光学部品用筐体４５と外装ケース２の内側面とで形成される平面視三角形状の領域に配置される。この領域にメインタンク４４５を配置することで、外装ケース２内の収納効率の向上が図れ、プロジェクタ１が大型化することがない。
【００４５】
〔流体圧送部の構造〕
流体圧送部４４６は、メインタンク４４５内に蓄積された冷却流体を送入し、送入した冷却流体を外部に強制的に送出する。このため、流体圧送部４４６は、図３に示すように、メインタンク４４５の冷却流体流出部４４５Ｂに接続した流体循環部材４４８の他端と連通接続するとともに、外部に冷却流体を送出するために他の流体循環部材４４８の一端と連通接続している。
この流体圧送部４４６は、具体的な図示は省略するが、例えば、略直方体状のアルミニウム製の中空部材内に羽根車が配置された構成を有し、図示しない制御装置による制御の下、前記羽根車が回転することで、メインタンク４４５内に蓄積された冷却流体を流体循環部材４４８を介して強制的に送入し、送入した冷却流体を流体循環部材４４８を介して外部に強制的に送出する。このような構成では、流体圧送部４４６は、前記羽根車の回転軸方向の厚み寸法を小さくすることができ、プロジェクタ１内部の空きスペースに配置することが可能となり、プロジェクタ１内部の収納効率の向上を図れ、プロジェクタ１が大型化することがない。本実施形態では、流体圧送部４４６は、図２または図３に示すように、投射レンズ５の下方に配置される。
【００４６】
〔光学装置本体の構造〕
図５および図６は、光学装置本体４４０の概略構成を示す図である。具体的に、図５は、光学装置本体４４０を上方側から見た斜視図である。また、図６は、光学装置本体４４０を下方側から見た斜視図である。
光学装置本体４４０は、３つの液晶パネル４４１、３つの入射側偏光板４４２、３つの射出側偏光板４４３、およびクロスダイクロイックプリズム４４４の他、図５および図６に示すように、流体分岐部４４０１と、３つの光変調素子保持体４４０２と、３つの支持部材４４０３と、中継タンク４４０４とを備える。
【００４７】
〔流体分岐部の構造〕
図７は、流体分岐部４４０１の構造を示す図である。具体的に、図７（Ａ）は、流体分岐部４４０１を上方から見た平面図である。また、図７（Ｂ）は、図７（Ａ）におけるＢ-Ｂ線の断面図である。
流体分岐部４４０１は、略直方体状のアルミニウム製の中空部材で構成され、流体圧送部４４６から強制的に送出された冷却流体を送入し、送入した冷却流体を３つの光変調素子保持体４４０２毎に分岐して送出する。また、この流体分岐部４４０１は、クロスダイクロイックプリズム４４４の３つの光束入射側端面に交差する端面である下面に固定され、クロスダイクロイックプリズム４４４を支持するプリズム固定板としての機能も有する。
この流体分岐部４４０１において、底面の略中央部分には、図７（Ｂ）に示すように、流体圧送部４４６から圧送された冷却流体を内部に流入させる冷却流体流入部４４０１Ａが形成されている。この冷却流体流入部４４０１Ａは、メインタンク４４５の冷却流体流入部４４５Ａと同様に、流体循環部材４４８の管径寸法よりも小さい管径寸法を有する略筒状部材から構成され、流体分岐部４４０１内外に突出するように配置されている。そして、冷却流体流入部４４０１Ａの外側に突出した一端には、流体圧送部４４６に連通接続された流体循環部材４４８の他端が接続され、該流体循環部材４４８を介して流体圧送部４４６から圧送された冷却流体が流体分岐部４４０１内部に流入する。
【００４８】
また、底面の四隅部分には、図７（Ａ）に示すように、該底面に沿って延出する腕部４４０１Ｂがそれぞれ形成されている。これら腕部４４０１Ｂの先端部分には、それぞれ孔４４０１Ｂ１が形成され、これら孔４４０１Ｂ１に図示しないねじを挿通し、光学部品用筐体４５の部品収納部材４５１に螺合することで、光学装置本体４４０が部品収納部材４５１に固定される。この際、流体分岐部４４０１および光学部品用筐体４５は、熱伝達可能に接続される。このように、流体分岐部４４０１が光学部品用筐体４５に熱伝達可能に接続されることで、循環する冷却流体〜流体分岐部４４０１〜光学部品用筐体４５への熱伝達経路を確保し、冷却流体の冷却効率を向上させ、ひいては、冷却流体による液晶パネル４４１、入射側偏光板４４２、および射出側偏光板４４３の冷却効率の向上を図れる。また、シロッコファン３１の送風を光学部品用筐体４５の底面に沿って流せば、循環する冷却流体の放熱面積を増加でき、さらに、冷却効率が高められる。
【００４９】
また、この流体分岐部４４０１において、クロスダイクロイックプリズム４４４の光束入射側端面に対応する３つの側面には、図７（Ａ）に示すように、送入された冷却流体を３つの光変調素子保持体４４０２毎に分岐して流出させる冷却流体流出部４４０１Ｃが形成されている。
これら冷却流体流出部４４０１Ｃは、冷却流体流入部４４０１Ａと同様に、流体循環部材４４８の管径寸法よりも小さい管径寸法を有する略筒状部材から構成され、流体分岐部４４０１内外に突出するように配置されている。そして、各冷却流体流出部４４０１Ｃの外側に突出した一端には、それぞれ流体循環部材４４８の一端が接続され、該流体循環部材４４８を介して流体分岐部４４０１内部の冷却流体が分岐されて外部へと流出する。
さらに、この流体分岐部４４０１において、上面の略中央部分には、図７に示すように、球状の膨出部４４０１Ｄが形成されている。そして、この膨出部４４０１Ｄにクロスダイクロイックプリズム４４４の下面を当接させることで、流体分岐部４４０１に対するクロスダイクロイックプリズム４４４のあおり方向の位置調整が可能となる。
【００５０】
〔光変調素子保持体の構造〕
図８は、光変調素子保持体４４０２の概略構成を示す分解斜視図である。
３つの光変調素子保持体４４０２は、３つの液晶パネル４４１、３つの入射側偏光板４４２、および３つの射出側偏光板４４３をそれぞれ保持するとともに、内部に冷却流体が流入および流出し、該冷却流体により３つの液晶パネル４４１、３つの入射側偏光板４４２、および３つの射出側偏光板４４３をそれぞれ冷却する。なお、各光変調素子保持体４４０２は、同様の構成であり、以下では１つの光変調素子保持体４４０２のみを説明する。
光変調素子保持体４４０２は、図８に示すように、一対の枠状部材４４０５，４４０６と、４つの弾性部材４４０７と、一対の透光性基板固定部材としての偏光板固定部材４４０８Ａ，４４０８Ｂと、支持枠体４４０９とを備える。
【００５１】
図９は、枠状部材４４０５の概略構成を示す図である。具体的に、図９（Ａ）は、枠状部材４４０５を光束射出側から見た斜視図である。また、図９（Ｂ）は、枠状部材４４０５を光束入射側から見た斜視図である。
枠状部材４４０５は、略中央部分に液晶パネル４４１の画像形成領域に対応した矩形状の開口部４４０５Ａを有する平面視略矩形状のアルミニウム製の枠体であり、枠状部材４４０６に対して光束入射側に配置され、液晶パネル４４１の光束入射側を支持するとともに、入射側偏光板４４２の光束射出側を支持する。
【００５２】
この枠状部材４４０５において、光束射出側端面には、図９（Ａ）に示すように、光束入射側に窪む凹部４４０５Ｂが形成されている。この凹部４４０５Ｂは、弾性部材４４０７の後述する第２弾性部材の形状に対応し、開口部４４０５Ａの周縁部分に位置し平面視略矩形枠形状を有する第１凹部４４０５Ｂ１と、上方側左右方向略中央部分に位置し平面視略円形状を有する第２凹部４４０５Ｂ２とで構成される。そして、これら凹部４４０５Ｂにて前記第２弾性部材および支持枠体４４０９を介して液晶パネル４４１の光束入射側端面を支持する。そして、枠状部材４４０５が液晶パネル４４１の光束入射側端面を支持することで、前記第２弾性部材、支持枠体４４０９、および液晶パネル４４１の光束入射側端面にて、開口部４４０５Ａの光束射出側が閉塞される。
また、第１凹部４４０５Ｂ１における下方側の左右方向略中央部分には、図９（Ａ）または図９（Ｂ）に示すように、光束射出側端面および光束入射側端面を貫通する孔４４０５Ｃ１を有して光束射出側端面から略直交して突出し、枠状部材４４０６の後述する挿通孔に挿通される筒状部４４０５Ｃが形成されている。
【００５３】
筒状部４４０５Ｃは、後述する流入口に対して略直交するように連通接続している。そして、この筒状部４４０５Ｃの内側面の一部は、前記流入口の中心軸と交差するように延出し、該内側面の一部には前記流入口を介して流入した冷却流体を、枠状部材４４０５の光束入射側および光束射出側に分流する突出部４４０５Ｃ２（図１６参照）が形成されている。
突出部４４０５Ｃ２（図１６参照）は、略三角柱形状を有し、その軸方向が枠状部材４４０５の光束入射側端面および光束射出側端面と平行するように形成されている。すなわち、三角柱状の３つの側面のうち、１つの側面が筒状部４４０５Ｃの内壁に接続し、他の２つの側面が光束入射側および光束射出側にそれぞれ向くように形成されている。そして、このような突出部４４０５Ｃ２（図１６参照）により、後述する流入口を介して流入した冷却流体が前記２つの側面に案内されて枠状部材４４０５の光束入射側および光束射出側に分流される。
【００５４】
また、第２凹部４４０５Ｂ２における略中央部分には、図９（Ａ）または図９（Ｂ）に示すように、光束射出側端面および光束入射側端面を貫通し、枠状部材４４０６の後述する筒状部を挿通可能とする挿通孔４４０５Ｄが形成されている。
【００５５】
また、この枠状部材４４０５において、光束入射側端面には、図９（Ｂ）に示すように、弾性部材４４０７の後述する第１弾性部材の形状に対応して矩形枠状の凹部４４０５Ｅが形成され、この凹部４４０５Ｅにて前記第１弾性部材を介して入射側偏光板４４２を支持する。そして、枠状部材４４０５が入射側偏光板４４２の光束射出側端面を支持することで、前記第１弾性部材、および入射側偏光板４４２の光束射出側端面にて、開口部４４０５Ａにおける光束入射側が閉塞される。
また、開口部４４０５Ａは、図９（Ｂ）に示すように、光束射出側端面から光束入射側端面に向けて開口面積が大きくなるように、光束入射側の角部分が面取りされ、斜面４４０５Ａ１を有している。
さらに、この光束入射側端面には、図９（Ｂ）に示すように、開口部４４０５Ａの上下側端部周縁に、凹部４４０５Ｅよりも深さ寸法の大きい凹部４４０５Ｆが筒状部４４０５Ｃの孔４４０５Ｃ１および挿通孔４４０５Ｄと接続するようにそれぞれ形成されている。
これら凹部４４０５Ｆのうち、上方側に位置する凹部４４０５Ｆの上方側の側壁は、左右方向略中央部分が上方側に窪み凹となるように曲面状に形成されている。また、下方側に位置する凹部４４０５Ｆの下方側の側壁も同様に、左右方向略中央部分が下方側に窪み凹となるように曲面状に形成されている。
以上のように、液晶パネル４４１および入射側偏光板４４２により開口部４４０５Ａの光束入射側および光束射出側が閉塞されると、枠状部材４４０５内部（開口部４４０５Ａ内、および、凹部４４０５Ｆと入射側偏光板４４２との空隙）に冷却流体を封入可能とする冷却室Ｒ１（図１６参照）が形成される。
【００５６】
さらに、この枠状部材４４０５において、左側端部角隅部分および右側端部角隅部分には、図９に示すように、枠状部材４４０６と接続するための接続部４４０５Ｇがそれぞれ形成されている。
さらにまた、この枠状部材４４０５において、左側端部および右側端部には、図９に示すように、偏光板固定部材４４０８Ａが係合する３つのフック４４０５Ｈがそれぞれ形成されている。
これら３つのフック４４０５Ｈは、左側端部および右側端部において、上下方向端部近傍、および上下方向略中央部分にそれぞれ形成され、上下方向略中央部分を中心として対称配置されている。
【００５７】
また、この枠状部材４４０５において、その下方側端部略中央部分には、図９に示すように、下方側に位置する凹部４４０５Ｆの下方側の側壁に貫通し、外部からの冷却流体を内部に流入させる流入口４４０５Ｉが形成されている。この流入口４４０５Ｉは、流体循環部材４４８の管径寸法よりも小さい管径寸法を有する略筒状部材から構成され、枠状部材４４０５の外側に突出するように形成されている。そして、流入口４４０５Ｉの突出した端部には、流体分岐部４４０１の冷却流体流出部４４０１Ｃに接続された流体循環部材４４８の他端が接続され、該流体循環部材４４８を介して流体分岐部４４０１から流出した冷却流体が内部に流入する。
【００５８】
図１０は、枠状部材４４０６の概略構成を示す図である。具体的に、図１０（Ａ）は、枠状部材４４０６を光束射出側から見た斜視図である。また、図１０（Ｂ）は、枠状部材４４０６を光束入射側から見た斜視図である。
枠状部材４４０６は、上述した枠状部材４４０５と略同様に、略中央部分に液晶パネル４４１の画像形成領域に対応した矩形状の開口部４４０６Ａを有する平面視略矩形状のアルミニウム製の枠体である。そして、この枠状部材４４０６は、上述した枠状部材４４０５との間に、弾性部材４４０７および支持枠体４４０９を介して液晶パネル４４１を挟持するとともに、枠状部材４４０５と対向する面と反対の面側にて弾性部材４４０７を介して射出側偏光板４４３を支持する。
この枠状部材４４０６において、光束射出側端面には、図１０（Ａ）に示すように、弾性部材４４０７の後述する第４弾性部材の形状に対応して矩形枠状の凹部４４０６Ｂが形成され、この凹部４４０６Ｂにて前記第４弾性部材を介して射出側偏光板４４３を支持する。そして、枠状部材４４０６が射出側偏光板４４３の光束入射側端面を支持することで、前記第４弾性部材、および射出側偏光板４４３の光束入射側端面にて、開口部４４０６Ａにおける光束射出側が閉塞される。
【００５９】
この凹部４４０６Ｂにおける下方側の左右方向略中央部分には、図１０（Ａ）または図１０（Ｂ）に示すように、光束射出側端面および光束入射側端面を貫通し、上述した枠状部材４４０５における筒状部４４０５Ｃを挿通可能とする挿通孔４４０６Ｃが形成されている。そして、枠状部材４４０６と枠状部材４４０５とを組み合わせた状態では、枠状部材４４０５における筒状部４４０５Ｃが、支持枠体４４０９の後述する挿通孔、および弾性部材４４０７の後述する第３弾性部材の挿通孔を介して、枠状部材４４０６における挿通孔４４０６Ｃに挿通される。このため、流入口４４０５Ｉを介して枠状部材４４０５内部に流入した冷却流体は、筒状部４４０５Ｃの突出部４４０５Ｃ２（図１６参照）に分流され、筒状部４４０５Ｃの孔４４０５Ｃ１および挿通孔４４０６Ｃを介して枠状部材４４０５の光束入射側（冷却室Ｒ１（図１６参照））および枠状部材４４０６の光束射出側（後述する冷却室Ｒ２（図１６参照））に流通する。
【００６０】
また、開口部４４０６Ａは、図１０（Ａ）に示すように、枠状部材４４０５における開口部４４０５Ａと同様に、光束入射側端面から光束射出側端面に向けて開口面積が大きくなるように、光束射出側の角部分が面取りされ、斜面４４０６Ａ１を有している。
さらに、光束射出側端面には、図１０（Ａ）に示すように、開口部４４０６Ａの上下側端部周縁に、凹部４４０６Ｂよりも深さ寸法の大きい凹部４４０６Ｅが挿通孔４４０６Ｃ、および後述する筒状部の孔と接続するようにそれぞれ形成されている。
なお、凹部４４０６Ｅの形状は、上述した枠状部材４４０５における凹部４４０５Ｆの形状と略同様であり、説明を省略する。
【００６１】
また、この枠状部材４４０６において、光束入射側端面には、図１０（Ｂ）に示すように、光束射出側に窪む凹部４４０６Ｇが形成されている。この凹部４４０６Ｇは、弾性部材４４０７の後述する第３弾性部材の形状に対応し、開口部４４０６Ａの周縁部分に位置し平面視略矩形枠形状を有する第１凹部４４０６Ｇ１と、下方側左右方向略中央部分に位置し平面視略円形状を有する第２凹部４４０６Ｇ２とで構成される。そして、これら凹部４４０６Ｇにて前記第３弾性部材を介して液晶パネル４４１の光束射出側端面を支持する。そして、枠状部材４４０６が液晶パネル４４１の光束射出側端面を支持することで、前記第３弾性部材、および液晶パネル４４１の光束射出側端面にて、開口部４４０６Ａにおける光束入射側が閉塞される。
また、第１凹部４４０６Ｇ１における上方側の左右方向略中央部分には、図１０（Ａ）または図１０（Ｂ）に示すように、上述した枠状部材４４０５における挿通孔４４０５Ｄに対応して、光束射出側端面および光束入射側端面を貫通する孔４４０６Ｄ１を有し、光束入射側端面から略直交して突出する筒状部４４０６Ｄが形成されている。そして、枠状部材４４０６と枠状部材４４０５とを組み合わせた状態では、枠状部材４４０６における筒状部４４０６Ｄが、液晶パネル４４１におけるフレキシブルプリント基板４４１Ｅの挿通孔４４１Ｅ１、支持枠体４４０９の後述する挿通孔、および弾性部材４４０７の後述する第２弾性部材の挿通孔を介して、枠状部材４４０５における挿通孔４４０５Ｄに挿通される。このため、枠状部材４４０５の光束入射側（冷却室Ｒ１（図１６参照））および枠状部材４４０６の光束射出側（後述する冷却室Ｒ２（図１６参照））を筒状部４４０６Ｄの孔４４０６Ｄ１、および挿通孔４４０５Ｄを介して冷却流体が流通可能となる。
【００６２】
ここで、筒状部４４０５Ｃ，４４０６Ｄの内径は、例えば、１mm〜５mmが好ましく、２mm〜３mmがさらに好ましい。本実施形態では、筒状部４４０５Ｃの内径断面積と、筒状部４４０６Ｄの内径断面積とは、略同一断面積で構成されている。また、挿通孔４４０６Ｃ，４４０５Ｄの内径は、それぞれ筒状部４４０５Ｃ，４４０６Ｄを嵌合可能な寸法に設定されている。
なお、筒状部４４０５Ｃの内径断面積と、筒状部４４０６Ｄの内径断面積とを略同一断面積とする構成に限らず、異なる内径断面積とする構成を採用してもよい。
【００６３】
以上のように、液晶パネル４４１および射出側偏光板４４３により開口部４４０６Ａの光束入射側および光束射出側が閉塞されると、枠状部材４４０６内部（開口部４４０６Ａ内、および、凹部４４０６Ｅと射出側偏光板４４３との空隙）に冷却流体を封入可能とする冷却室Ｒ２（図１６参照）が形成される。
また、光束入射側端面には、図１０（Ｂ）に示すように、筒状部４４０６Ｄの上方に位置し、光束入射側端面から略直交して突出する押圧部４４０６Ｈが形成されている。そして、枠状部材４４０６と枠状部材４４０５とを組み合わせた状態では、押圧部４４０６Ｈが、液晶パネル４４１におけるフレキシブルプリント基板４４１Ｅの挿通孔４４１Ｅ１に挿通され、その先端が支持枠体４４０９の後述する挿通孔の周縁に当接し、支持枠体４４０９を枠状部材４４０５側に押圧する。
さらに、光束入射側端面の上方側端部および下方側端部には、図１０（Ｂ）に示すように、支持枠体４４０９の後述する突出部に対応して、光束射出側に窪む２つの切り欠き４４０６Ｊがそれぞれ形成されている。そして、枠状部材４４０６と枠状部材４４０５とを組み合わせた状態では、４つの切り欠き４４０６Ｊを介して支持枠体４４０９の前記突出部が外側に突出する。
【００６４】
さらに、この枠状部材４４０６において、その上方側端部略中央部分には、図１０に示すように、上方側に位置する凹部４４０６Ｅの上方側の側壁に貫通するとともに筒状部４４０６Ｄと略直交して連通接続し、冷却室Ｒ１，Ｒ２（図１６参照）内部の冷却流体を外部に流出させる流出口４４０６Ｉが形成されている。この流出口４４０６Ｉは、流入口４４０５Ｉと同様に、流体循環部材４４８の管径寸法よりも小さい管径寸法を有する略筒状部材から構成され、枠状部材４４０６の外側に突出するように形成されている。そして、流出口４４０６Ｉの突出した端部には、流体循環部材４４８が接続され、流入口４４０５Ｉを介して冷却室Ｒ１（図１６参照）内に流入し、さらに挿通孔４４０５Ｄおよび筒状部４４０６Ｄの孔４４０６Ｄ１を介して冷却室Ｒ２（図１６参照）へと流入した冷却流体、および、流入口４４０５Ｉを介して流入し、さらに筒状部４４０５Ｃの突出部４４０５Ｃ２により分流されて冷却室Ｒ２（図１６参照）内に流入した冷却流体が該流体循環部材４４８を介して外部に流出される。
【００６５】
本実施形態では、流入口４４０５Ｉおよび流出口４４０６Ｉの内径断面積は、筒状部４４０５Ｃ，４４０６Ｄの内径断面積と略同一断面積となるように設定されている。このような構成とすることで、光変調素子保持体４４０２内での冷却流体の流路抵抗を略同一とすることができ、冷却流体の対流速度を速めることが可能となる。
なお、流入口４４０５Ｉおよび流出口４４０６Ｉの内径断面積を、筒状部４４０５Ｃ，４４０６Ｄの内径断面積と略同一断面積とする構成に限らず、異なる断面積とする構成を採用してもよい。
【００６６】
また、この枠状部材４４０６において、左側端部角隅部分および右側端部角隅部分には、図１０に示すように、枠状部材４４０５と接続するための接続部４４０６Ｋがそれぞれ形成されている。そして、枠状部材４４０５，４４０６の各接続部４４０５Ｇ，４４０６Ｋにねじ４４０６Ｍ（図８）を螺合することで、液晶パネル４４１が支持枠体４４０９、弾性部材４４０７の後述する第２弾性部材および第３弾性部材を介して枠状部材４４０５，４４０６間に挟持され、枠状部材４４０５，４４０６の各開口部４４０５Ａ，４４０６Ａの対向する面側が封止される。
さらにまた、この枠状部材４４０６において、左側端部および右側端部には、図１０に示すように、枠状部材４４０５の３つのフック４４０５Ｈと同様の、３つのフック４４０６Ｌがそれぞれ形成されている。
【００６７】
弾性部材４４０７は、図８に示すように、入射側偏光板４４２および枠状部材４４０５の間に介在配置される第１弾性部材４４０７Ａと、枠状部材４４０５および液晶パネル４４１の間に介在配置される第２弾性部材４４０７Ｂと、液晶パネル４４１および枠状部材４４０６の間に介在配置される第３弾性部材４４０７Ｃと、枠状部材４４０６および射出側偏光板４４３の間に介在配置される第４弾性部材４４０７Ｄとで構成される。
このうち、第１弾性部材４４０７Ａ、および第４弾性部材４４０７Ｄは、図８に示すように、略矩形枠形状を有している。また、これら第１弾性部材４４０７Ａ、および第４弾性部材４４０７Ｄは、図８に示すように、一対の枠状部材４４０５，４４０６に対向する端面が平面状に形成され、入射側偏光板４４２および射出側偏光板４４３に対向する端面が曲面状に形成され、断面略半円形状を有している。そして、これら第１弾性部材４４０７Ａ、および第４弾性部材４４０７Ｄは、枠状部材４４０５，４４０６の各凹部４４０５Ｅ，４４０６Ｂにそれぞれ設置される。
【００６８】
また、第２弾性部材４４０７Ｂは、図８に示すように、平面視略矩形枠状の弾性部材４４０７Ｂ１と、弾性部材４４０７Ｂ１の上端縁略中央部分に位置し平面視略円形状の弾性部材４４０７Ｂ２とが一体的に形成されたものである。
このうち、弾性部材４４０７Ｂ１は、液晶パネル４４１に対向する端面が平面状に形成され、枠状部材４４０５に対向する端面が曲面状に形成され、断面略半円形状を有している。そして、この弾性部材４４０７Ｂ１は、枠状部材４４０５の第１凹部４４０５Ｂ１に前記曲面が当接し、支持枠体４４０９および液晶パネル４４１を跨って支持枠体４４０９および液晶パネル４４１の双方に前記平面が当接するように設置される。
また、弾性部材４４０７Ｂ２は、その略中央部分に枠状部材４４０６の筒状部４４０６Ｄを挿通可能とする挿通孔４４０７Ｂ３が形成されている。この弾性部材４４０７Ｂ２も上述した弾性部材４４０７Ｂ１と同様に断面略半円形状を有する。そして、この弾性部材４４０７Ｂ２は、枠状部材４４０５の第２凹部４４０５Ｂ２に前記曲面が当接し、支持枠体４４０９に前記平面が当接するように設置される。
【００６９】
さらに、第３弾性部材４４０７Ｃは、図８に示すように、平面視略矩形枠状の弾性部材４４０７Ｃ１と、弾性部材４４０７Ｃ１の下端縁略中央部分に位置し平面視略円形状の弾性部材４４０７Ｃ２とが一体的に形成されたものである。
このうち、弾性部材４４０７Ｃ１において、その上端部の下方側には、図８に示すように、上方側の厚み寸法よりも小さい厚み寸法を有する弾性部材４４０７Ｃ３が一体的に形成されている。これら弾性部材４４０７Ｃ１および弾性部材４４０７Ｃ３は、一方の端面が略面一となる平面形状を有し、他方の端面がそれぞれ曲面形状となる断面略半円形状にそれぞれ形成されている。そして、弾性部材４４０７Ｃ１の上端部は、枠状部材４４０６の第１凹部４４０６Ｇ１に前記曲面が当接し、支持枠体４４０９に前記平面が当接するように設置される。この際、弾性部材４４０７Ｃ３は、枠状部材４４０６の第１凹部４４０６Ｇ１に前記曲面が当接するとともに、液晶パネル４４１に前記平面が当接する。また、弾性部材４４０７Ｃ１の左右端部および下端部は、枠状部材４４０６の第１凹部４４０６Ｇ１に前記曲面が当接し、支持枠体４４０９および液晶パネル４４１を跨って支持枠体４４０９および液晶パネル４４１の双方に前記平面が当接するように設置される。
また、弾性部材４４０７Ｃ２は、その略中央部分に枠状部材４４０５の筒状部４４０５Ｃを挿通可能とする挿通孔４４０７Ｃ４が形成されている。この弾性部材４４０７Ｃ２も上述した弾性部材４４０７Ｃ１，４４０７Ｃ３と同様に断面略半円形状を有する。そして、この弾性部材４４０７Ｃ２は、枠状部材４４０６の第２凹部４４０６Ｇ２に前記曲面が当接し、支持枠体４４０９に前記平面が当接するように設置される。
【００７０】
そして、これら弾性部材４４０７は、枠状部材４４０５，４４０６の各冷却室Ｒ１，Ｒ２（図１６参照）を封止し、入射側偏光板４４２および枠状部材４４０５、枠状部材４４０５および液晶パネル４４１、液晶パネル４４１および枠状部材４４０６、枠状部材４４０６および射出側偏光板４４３の間から冷却流体が漏れることを防止するとともに、筒状部４４０５Ｃ，４４０６Ｄおよび挿通孔４４０６Ｃ，４４０５Ｄの接続部分から液晶パネル４４１側に冷却流体が漏れることも防止している。
【００７１】
上述した弾性部材４４０７としては、硬度Ｈｓ（ＪＩＳスプリング式）が３０〜５０のゴム部材で構成することが好ましい。その材料は、特に限定されず、例えば、シリコンゴム、水分透過量の少ないブチルゴムまたはフッ素ゴム等が例示できる。
【００７２】
偏光板固定部材４４０８Ａ，４４０８Ｂは、入射側偏光板４４２および射出側偏光板４４３を、第１弾性部材４４０７Ａおよび第４弾性部材４４０７Ｄを介して枠状部材４４０５，４４０６の各凹部４４０５Ｅ，４４０６Ｂにそれぞれ押圧固定する。これら偏光板固定部材４４０８Ａ，４４０８Ｂは、図８に示すように、略中央部分に開口部４４０８Ａ１，４４０８Ｂ１が形成された平面視略矩形枠体で構成され、開口部４４０８Ａ１，４４０８Ｂ１周縁部分にて、入射側偏光板４４２および射出側偏光板４４３を枠状部材４４０５，４４０６に対してそれぞれ押圧する。また、これら偏光板固定部材４４０８Ａ，４４０８Ｂの左右側端縁には、一対の枠状部材４４０５，４４０６の各フック４４０５Ｈ，４４０６Ｌに対応して板面から略直交して突出する３つのフック係合部４４０８Ａ２，４４０８Ｂ２がそれぞれ形成されている。そして、偏光板固定部材４４０８Ａ，４４０８Ｂの各フック係合部４４０８Ａ２，４４０８Ｂ２を枠状部材４４０５，４４０６の各フック４４０５Ｈ，４４０６Ｌに係合させることで、枠状部材４４０５，４４０６に対して偏光板固定部材４４０８Ａ，４４０８Ｂが入射側偏光板４４２および射出側偏光板４４３を押圧した状態で固定される。
上述した偏光板固定部材４４０８Ａ，４４０８Ｂの厚み寸法は、０．３ｍｍ以上の厚みを有していることが好ましく、さらに好ましくは０．５ｍｍで構成することが好ましい。このように構成することで、偏光板固定部材４４０８Ａ，４４０８Ｂの強度を良好に維持でき、一対の枠状部材４４０５，４４０６に対して入射側偏光板４４２および射出側偏光板４４３を良好に押圧固定できる。
【００７３】
図１１は、支持枠体４４０９の概略構成を示す分解斜視図である。具体的に、支持枠体４４０９を光束射出側から見た分解斜視図である。
図１２は、支持枠体４４０９に液晶パネル４４１を組み込んだ状態を示す図である。具体的に、図１２（Ａ）は、支持枠体４４０９を光束射出側から見た図である。図１２（Ｂ）は、図１２（Ａ）におけるＣ−Ｃ線の断面図である。図１２（Ｃ）は、支持枠体４４０９を光束入射側から見た図である。
支持枠体４４０９は、アルミニウム製の平面視略矩形状の板体から構成され、液晶パネル４４１を保持するとともに、該液晶パネル４４１を光源装置４１１から射出される光束の照明光軸Ａに対する所定位置に位置決めするものである。この支持枠体４４０９は、図１１または図１２に示すように、支持枠体本体４４０９Ａと、支持補助部４４０９Ｂとを備える。
【００７４】
支持枠体本体４４０９Ａは、液晶パネル４４１を支持する基体であり、平面視略矩形状の板体から構成される。
この支持枠体本体４４０９Ａにおいて、その略中央部分には、図１１または図１２に示すように、液晶パネル４４１の駆動基板４４１Ｃの外形寸法と略同一寸法を有する開口部４４０９Ａ１が形成されている。
また、支持枠体本体４４０９Ａにおいて、光束入射側端面には、図１１または図１２（Ｃ）に示すように、開口部４４０９Ａ１周縁から光束入射側に膨出する膨出部４４０９Ａ２が形成されている。
この膨出部４４０９Ａ２において、その上方側端部は、図１２（Ａ）または図１２（Ｂ）に示すように、開口部４４０９Ａ１の内側、すなわち、下方側に延出形成されている。このため、開口部４４０９Ａ１における内側面上方側には、図１２（Ａ）または図１２（Ｂ）に示すように、段差部４４０９Ａ３が形成される。そして、この段差部４４０９Ａ３の底部は、図１２（Ａ）または図１２（Ｂ）に示すように、液晶パネル４４１を支持枠体４４０９に組み込んだ状態では、液晶パネル４４１における駆動基板４４１Ｃの上方側端部と平面的に干渉する。すなわち、この段差部４４０９Ａ３は、駆動基板４４１Ｃの光束入射側端面と当接し、液晶パネル４４１の面外方向の位置を規制する機能を有する。
また、開口部４４０９Ａ１の内側面において、膨出部４４０９Ａ２における上方側端部の膨出方向基端部分には、図１２（Ａ）に示すように、液晶パネル４４１のフレキシブルプリント基板４４１Ｅの幅寸法に応じて孔４４０９Ａ４が形成されており、支持枠体４４０９に液晶パネル４４１が設置された状態では、該孔４４０９Ａ４にフレキシブルプリント基板４４１Ｅが挿通される。
【００７５】
さらに、開口部４４０９Ａ１の内側面において、膨出部４４０９Ａ２側には、図１１、図１２（Ｂ）、または図１２（Ｃ）に示すように、開口部４４０９Ａ１の内側に突出する複数の突起部４４０９Ａ５が形成されている。本実施形態では、内側面の各側端縁にそれぞれ２つの突起部４４０９Ａ５が形成されている。なお、突起部４４０９Ａ５の数は、上述した数に限らない。そして、これら突起部４４０９Ａ５は、その先端部分を結ぶ軌跡が液晶パネル４４１の対向基板４４１Ｄの外形位置基準面となるように設定され、液晶パネル４４１の面内方向の位置を規制する機能を有する。
【００７６】
さらに、支持枠体本体４４０９Ａにおいて、光束入射側端面には、図１１または図１２（Ｃ）に示すように、膨出部４４０９Ａ２の上方側で左右方向両端部近傍に、光束入射側に向けて突出するピン４４０９Ａ６がそれぞれ形成されている。
さらにまた、支持枠体本体４４０９Ａにおいて、上方側端部角隅部分および下方側端部角隅部分には、図１１または図１２に示すように、上方向および下方向にそれぞれ延出し、光変調素子保持体４４０２が組み立てられた状態で一対の枠状部材４４０５，４４０６の側端部から平面的に突出する４つの突出部４４０９Ａ７が形成されている。そして、これら突出部４４０９Ａ７の先端部分には、図１１または図１２に示すように、支持部材４４０３の後述するピン状部材を挿通可能とする取付孔４４０９Ａ８がそれぞれ形成されている。
また、支持枠体本体４４０９Ａにおいて、下方側端部略中央部分には、図１１または図１２に示すように、枠状部材４４０５の筒状部４４０５Ｃを挿通可能とする挿通孔４４０９Ａ９が形成されている。
【００７７】
支持補助部４４０９Ｂは、支持枠体本体４４０９Ａにおける光束入射側端面の膨出部４４０９Ａ２の上方側に取り付けられ、支持枠体本体４４０９Ａによる液晶パネル４４１の支持状態を補助する部分である。この支持補助部４４０９Ｂは、支持枠体本体４４０９Ａにおける光束入射側端面の上方側端部に対応した形状を有し、左右方向に延出した平面視略矩形状の板体から構成される。
この支持補助部４４０９Ｂの左右両端部近傍には、図１１または図１２（Ｃ）に示すように、光束入射側端面および光束射出側端面を貫通し、支持枠体本体４４０９Ａのピン４４０９Ａ６を嵌合可能とする嵌合孔４４０９Ｂ１がそれぞれ形成されている。
また、支持補助部４４０９Ｂにおいて、その光束射出側端面の左右方向略中央部分には、図１１に示すように、液晶パネル４４１のフレキシブルプリント基板４４１Ｅの幅寸法に対応した幅寸法を有し、光束入射側に窪む凹部４４０９Ｂ２が形成されている。
さらに、支持補助部４４０９Ｂにおいて、上方側端部略中央部分には、図１１または図１２（Ｃ）に示すように、上方に向けて延出し、枠状部材４４０６の筒状部４４０６Ｄを挿通可能とする挿通孔４４０９Ｂ３が形成されている。
【００７８】
以上説明した支持枠体４４０９に対する液晶パネル４４１の組み込みは、以下のように実施される。
先ず、支持枠体本体４４０９Ａの光束射出側から、液晶パネル４４１のフレキシブルプリント基板４４１Ｅを開口部４４０９Ａ１に挿通するとともに該開口部４４０９Ａ１から孔４４０９Ａ４を介して支持枠体本体４４０９Ａの外部に突出させるように、液晶パネル４４１を開口部４４０９Ａ１に設置する。この際、駆動基板４４１Ｃの光束入射側端面が段差部４４０９Ａ３に当接し液晶パネル４４１の面外方向の位置が規制されるとともに、対向基板４４１Ｄの外側面が複数の突起部４４０９Ａ５の先端に当接し液晶パネル４４１の面外方向の位置が規制され、支持枠体本体４４０９Ａに対して液晶パネル４４１が位置決めされる。
ここで、支持枠体本体４４０９Ａにおける膨出部４４０９Ａ２の形成位置での厚み寸法は、図１２（Ｂ）に示すように、液晶パネル４４１の厚み寸法と略同一となるように設定されている。また、光束射出側端面から段差部４４０９Ａ３の底部までの寸法は、図１２（Ｂ）に示すように、液晶パネル４４１の駆動基板４４１Ｃの厚み寸法と略同一となるように設定されている。このため、支持枠体本体４４０９Ａに液晶パネル４４１を設置した状態では、図１２（Ｂ）に示すように、支持枠体本体４４０９Ａの光束射出側端面、および膨出部４４０９Ａ２の光束入射側端面と、液晶パネル４４１の光束射出側端面および光束入射側端面とがそれぞれ略面一となる。
【００７９】
支持枠体本体４４０９Ａに液晶パネル４４１を位置決めした後、開口部４４０９Ａ１の内側面と駆動基板４４１Ｃの外周との間の隙間、および、開口部４４０９Ａ１の内側面と対向基板４４１Ｄの外周との間で複数の突起部４４０９Ａ５によって形成される隙間に、伸び率の高い接着剤を充填させる。このため、液晶パネル４４１が支持枠体本体４４０９Ａに対して位置決め固定されるとともに、前記隙間から冷却流体が液晶パネル４４１の内部に流入することが防止される。
なお、この接着剤としては、前記隙間から流入してくる冷却流体を遮断する材質、例えば、ウレタンゴム等を混ぜ合わせたものが好ましい。また、紫外線硬化タイプや嫌気タイプの主剤をベースにすれば、組み立て作業性の向上が図れる。
【００８０】
支持枠体本体４４０９Ａに液晶パネル４４１を位置決め固定した後、支持枠体本体４４０９Ａにおける光束入射側端面の膨出部４４０９Ａ２の上方側に支持補助部４４０９Ｂを取り付ける。
具体的に、支持枠体本体４４０９Ａのピン４４０９Ａ６に支持補助部４４０９Ｂの嵌合孔４４０９Ｂ１を嵌合させるように、支持枠体本体４４０９Ａに対して支持補助部４４０９Ｂを設置する。この際、支持枠体本体４４０９Ａの孔４４０９Ａ４を介して突出する液晶パネル４４１のフレキシブルプリント基板４４１Ｅは、支持補助部４４０９Ｂの凹部４４０９Ｂ２と支持枠体本体４４０９Ａの光束入射側端面との間に形成される空間内に遊嵌配置される。
そして、支持枠体本体４４０９Ａと支持補助部４４０９Ｂとの間の隙間に、支持枠体本体４４０９Ａに対する液晶パネル４４１の位置決めの際に用いた接着剤と同様の接着剤を充填し、支持枠体本体４４０９Ａに対して支持補助部４４０９Ｂを固定する。
ここで、支持補助部４４０９Ｂの厚み寸法は、図１２（Ｂ）に示すように、支持枠体本体４４０９Ａにおける膨出部４４０９Ａ２の膨出方向の高さ寸法と略同一に設定されている。このため、支持枠体本体４４０９Ａに対して支持補助部４４０９Ｂを取り付けた状態では、図１２（Ｂ）に示すように、膨出部４４０９Ａ２の光束入射側端面と、支持補助部４４０９Ｂの光束入射側端面とが略面一となる。
【００８１】
また、液晶パネル４４１が組み込まれた支持枠体４４０９を一対の枠状部材４４０５，４４０６に組み込む際には、支持枠体本体４４０９Ａの挿通孔４４０９Ａ９、および支持補助部４４０９Ｂの挿通孔４４０９Ｂ３が、一対の枠状部材４４０５，４４０６に対する支持枠体４４０９の位置決め用の孔としての機能を果たす。すなわち、支持枠体４４０９の挿通孔４４０９Ａ９，４４０９Ｂ３に一対の枠状部材４４０５，４４０６の筒状部４４０５Ｃ，４４０６Ｄをそれぞれ挿通することで、一対の枠状部材４４０５，４４０６に対して支持枠体４４０９が位置決めされ、すなわち、液晶パネル４４１が枠状部材４４０５，４４０６の所定位置に位置決めされる。そして、一対の枠状部材４４０５，４４０６および支持枠体４４０９を組み立てた状態では、一対の枠状部材４４０５，４４０６における第１凹部４４０５Ｂ１，４４０６Ｇ１の開口部分が、支持枠体４４０９の光束入射側端面および液晶パネル４４１の対向基板４４１Ｄの光束入射側端面、および、支持枠体４４０９の光束射出側端面および液晶パネル４４１の駆動基板４４１Ｃの光束射出側端面にそれぞれ閉塞され、第２弾性部材４４０７Ｂの弾性部材４４０７Ｂ１、および第３弾性部材４４０７Ｃの弾性部材４４０７Ｃ１が収納される弾性部材収納部４４０７Ｅがそれぞれ形成される（図１６参照）。
【００８２】
〔支持部材の構造〕
支持部材４４０３は、略中央部分に図示しない開口が形成された平面視矩形枠状の板体から構成される。なお、この支持部材４４０３の材料は、特に限定されないが、例えば、アルミニウムで構成してもよいし、光変調素子保持体４４０２の構成材料であるアルミニウムと、クロスダイクロイックプリズム４４４の構成材料の略中間の熱膨張係数を有する鉄系材料で構成してもよい。
この支持部材４４０３において、光束入射側端面には、図５または図６に示すように、光変調素子保持体４４０２における支持枠体４４０９の４つの取付孔４４０９Ａ８に対応した位置に、板体から突出するピン状部材４４０３Ａが形成されている。
そして、支持部材４４０３は、ピン状部材４４０３Ａを光変調素子保持体４４０２の４つの取付孔４４０９Ａ８に挿通することで該光変調素子保持体４４０２を支持し、板体の光束射出側端面をクロスダイクロイックプリズム４４４の光束入射側端面に接着固定することで、光変調素子保持体４４０２をクロスダイクロイックプリズム４４４に一体化する。
【００８３】
〔中継タンクの構造〕
図１３は、中継タンク４４０４の構造を示す図である。具体的に、図１３（Ａ）は、中継タンク４４０４を上方から見た平面図である。また、図１３（Ｂ）は、図１３（Ａ）におけるＤ−Ｄ線の断面図である。
中継タンク４４０４は、略円柱状のアルミニウム製の中空部材で構成され、クロスダイクロイックプリズム４４４の３つの光束入射側端面に交差する端面である上面に固定される。そして、この中継タンク４４０４は、各光変調素子保持体４４０２から送出された冷却流体を一括して送入し、送入した冷却流体を外部に送出する。
この中継タンク４４０４において、その上面には、図１３に示すように、各光変調素子保持体４４０２から送出された冷却流体を内部に流入させる３つの冷却流体流入部４４０４Ａが形成されている。これら冷却流体流入部４４０４Ａは、流体循環部材４４８の管径寸法よりも小さい管径寸法を有する略筒状部材から構成され、中継タンク４４０４内外に突出するように配置されている。そして、各冷却流体流入部４４０４Ａの外側に突出した端部には、３つの光変調素子保持体４４０２の各流出口４４０６Ｉと接続された流体循環部材４４８の他端が接続され、該流体循環部材４４８を介して各光変調素子保持体４４０２から送出された冷却流体が一括して中継タンク４４０４内部に流入する。
【００８４】
また、この中継タンク４４０４において、外側面の下方側には、図１３に示すように、送入された冷却流体を外部に流出させる冷却流体流出部４４０４Ｂが形成されている。この冷却流体流出部４４０４Ｂは、冷却流体流入部４４０４Ａと同様に、流体循環部材４４８の管径寸法よりも小さい管径寸法を有する略筒状部材から構成され、中継タンク４４０４内外に突出するように配置されている。そして、冷却流体流出部４４０４Ｂの外側に突出した端部には、流体循環部材４４８の一端が接続され、該流体循環部材４４８を介して中継タンク４４０４内部の冷却流体が外部へと流出する。
【００８５】
〔ラジエータの構造〕
図１４は、ラジエータ４４７の構造、およびラジエータ４４７と軸流ファン３２との配置関係を示す図である。具体的に、図１４（Ａ）は、ラジエータ４４７および軸流ファン３２を上方から見た斜視図である。また、図１４（Ｂ）は、ラジエータ４４７および軸流ファン３２をラジエータ４４７側から見た平面図である。
ラジエータ４４７は、図１または図２に示すように、外装ケース２に形成された隔壁２１内に配置され、光学装置本体４４０において各液晶パネル４４１、各入射側偏光板４４２、および各射出側偏光板４４３にて温められた冷却流体の熱を放熱する。このラジエータ４４７は、図１２に示すように、固定部４４７１と、管状部材４４７２と、複数のフィン４４７３とを備える。
固定部４４７１は、例えば、金属等の熱伝導性部材から構成され、図１４（Ｂ）に示すように、平面視略コ字形状を有し、対向するコ字状端縁に管状部材４４７２が挿通可能に構成されている。また、この固定部４４７１は、コ字状内側面にて複数の放熱フィン４４７３を支持する。この固定部４４７１のコ字状先端部分には、外側に延出する延出部４４７１Ａが形成され、該延出部４４７１Ａの孔４４７１Ａ１を介して図示しないねじを外装ケース２に螺合することでラジエータ４４７が外装ケース２に固定される。
【００８６】
管状部材４４７２は、アルミニウムから構成され、図１４（Ｂ）に示すように、固定部４４７１の一方のコ字状先端端縁から他方のコ字状先端端縁に向けて延出し、この延出方向先端部分が略９０°屈曲して下方側に延出し、さらにこの延出方向先端部分が略９０°屈曲して固定部４４７１の他方のコ字状先端端縁から一方のコ字状先端端縁に向けて延出する平面視略コ字形状を有し、固定部４４７１および放熱フィン４４７３と熱伝達可能に接続する。また、この管状部材４４７２は、流体循環部材４４８の管径寸法よりも小さい管径寸法を有し、図１４（Ｂ）に示す上方側の一端が、光学装置本体４４０における中継タンク４４０４の冷却流体流出部４４０４Ｂと接続した流体循環部材４４８の他端と接続する。また、図１４（Ｂ）に示す下方側の他端が、メインタンク４４５の冷却流体流入部４４５Ａと接続した流体循環部材４４８の他端と接続する。したがって、中継タンク４４０４から流出した冷却流体が流体循環部材４４８を介して管状部材４４７２を通り、管状部材４４７２を通った冷却流体が流体循環部材４４８を介してメインタンク４４５内に流入する。
【００８７】
放熱フィン４４７３は、例えば、金属等の熱伝導性部材からなる板体で構成され、管状部材４４７２を挿通可能に構成されている。そして、複数の放熱フィン４４７３は、管状部材４４７２の挿通方向と直交する方向に延びるようにそれぞれ形成され、管状部材４４７２の挿通方向に沿って並列配置している。このような複数の放熱フィン４４７３の配置状態では、図１４に示すように、軸流ファン３２から吐出される冷却空気は、複数の放熱フィン４４７３の間を通り抜けることになる。
【００８８】
以上説明したように、冷却流体は、複数の流体循環部材４４８を介して、メインタンク４４５〜流体圧送部４４６〜流体分岐部４４０１〜各光変調素子保持体４４０２〜中継タンク４４０４〜ラジエータ４４７〜メインタンク４４５という流路を循環する。
【００８９】
〔冷却構造〕
次に、液晶パネル４４１、入射側偏光板４４２、および射出側偏光板４４３の冷却構造を説明する。
図１５および図１６は、液晶パネル４４１、入射側偏光板４４２、および射出側偏光板４４３の冷却構造を説明するための図である。具体的に、図１５は、光変調素子保持体４４０２を光束射出側から見た平面図である。図１６は、図１５におけるＥ−Ｅ線の断面図である。
流体圧送部４４６が駆動することにより、流体循環部材４４８を介して、メインタンク４４５内の冷却流体が流体圧送部４４６内に送入されるとともに、流体圧送部４４６から流体分岐部４４０１に送出される。
【００９０】
そして、流体分岐部４４０１内に送入された冷却流体は、流体分岐部４４０１の各冷却流体流出部４４０１Ｃから流出し、流体循環部材４４８を介して、図１５または図１６に示すように、各光変調素子保持体４４０２の各流入口４４０５Ｉから各光変調素子保持体４４０２内部へと流入する。
各光変調素子保持体４４０２内部に流入した冷却流体は、図１６に示すように、筒状部４４０５Ｃの突出部４４０５Ｃ２にて分流され、冷却室Ｒ１および冷却室Ｒ２に流入する。
ここで、光源装置４１１から射出された光束により、液晶パネル４４１、入射側偏光板４４２、および射出側偏光板４４３に生じた熱は、各冷却室Ｒ１，Ｒ２内の冷却流体に伝達される。
冷却室Ｒ２内の冷却流体に伝達された熱は、図１６に示すように、冷却流体の流れにしたがって、図１６中、上方に向けて進み、枠状部材４４０６における上方側の凹部４４０６Ｅ（図１０（Ａ））の側壁により、左右方向略中央部分に案内され、流出口４４０６Ｉを介して冷却室Ｒ２外部へと移動する。
一方、冷却室Ｒ１内の冷却流体に伝達された熱は、図１６に示すように、冷却流体の流れにしたがって、図１６中、上方に向けて移動する。また、上方に向けて移動した熱は、冷却流体の流れにしたがって、枠状部材４４０５における上方側の凹部４４０５Ｆ（図９（Ｂ））の側壁により、左右方向略中央部分に案内される。そして、左右方向略中央部分へと案内された熱は、図１６に示すように、冷却流体の流れにしたがって、挿通孔４４０５Ｄおよび筒状部４４０６Ｄの孔４４０６Ｄ１を介して、冷却室Ｒ２内に移動し、流出口４４０６Ｉを介して冷却室Ｒ２外部へと移動する。
【００９１】
冷却室Ｒ１，Ｒ２から流出口４４０６Ｉを介して光変調素子保持体４４０２外部へと移動した熱は、冷却流体の流れにしたがって、中継タンク４４０４〜ラジエータ４４７へと移動する。温められた冷却流体がラジエータ４４７の管状部材４４７２を通過する際、該冷却流体の熱は、管状部材４４７２〜複数の放熱フィン４４７３に伝達される。そして、軸流ファン３２から吐出される冷却空気により、複数の放熱フィン４４７３に伝達された熱が冷却される。
そして、ラジエータ４４７にて冷却された冷却流体は、ラジエータ４４７〜メインタンク４４５〜流体圧送部４４６〜流体分岐部４４０１へと移動し、再度、冷却室Ｒ１，Ｒ２へと移動する。
【００９２】
また、冷却ユニット３のシロッコファン３１によりプロジェクタ１外部から内部に導入された冷却空気は、光学部品用筐体４５の底面に形成された孔４５１Ｃを介して光学部品用筐体４５内に導入される。光学部品用筐体４５内に導入された冷却空気は、光変調素子保持体４４０２の外面、および光変調素子保持体４４０２と支持部材４４０３との間に流入し、下方から上方に向けて流通する。この際、冷却空気は、入射側偏光板４４２の光束入射側端面および射出側偏光板４４３の光束射出側端面を冷却しながら流通する。
【００９３】
上述した第１実施形態においては、光変調素子保持体４４０２を構成する支持枠体４４０９は、開口部４４０９Ａ１に液晶パネル４４１を嵌合させることで、該液晶パネル４４１を位置決めするので、従来の筐体内部に液晶パネルが収納配置される構成と比較して、光変調素子保持体４４０２に対する液晶パネル４４１の位置決め精度を向上できる。また、支持枠体４４０９にて液晶パネル４４１の面内方向の移動が規制され、第２弾性部材４４０７Ｂ、第３弾性部材４４０７Ｃ、および一対の枠状部材４４０５，４４０６にて液晶パネル４４１の面外方向の移動が規制されるので、長期間使用した場合であっても、光変調素子保持体４４０２に対して液晶パネル４４１が位置ずれを起こす虞もない。
また、液晶パネル４４１が位置決めされる支持枠体４４０９に突出部４４０９Ａ７および取付孔４４０９Ａ８が形成されているので、例えば、光変調素子保持体４４０２の製造誤差等により、一対の枠状部材４４０５，４４０６に対して支持枠体４４０９の位置がずれた場合であっても、支持枠体４４０９の取付孔４４０９Ａ８に支持部材４４０３のピン状部材４４０３Ａを挿通することで支持枠体４４０９自体を所定位置に配置でき、すなわち、支持枠体４４０９に位置決めされた液晶パネル４４１を所定位置に良好に配置できる。
【００９４】
さらに、一対の枠状部材４４０５，４４０６の開口部４４０５Ａ，４４０６Ａが、支持枠体４４０９、弾性部材４４０７、液晶パネル４４１、入射側偏光板４４２、および射出側偏光板４４３にてそれぞれ閉塞されることにより、液晶パネル４４１の光束入射側および光束射出側の双方に冷却室Ｒ１，Ｒ２が形成されるので、液晶パネル４４１を冷却流体により効率的に冷却できる。
さらにまた、光変調素子保持体４４０２を組み立てる際、予め支持枠体４４０９に対して液晶パネル４４１を位置決め固定した状態で一対の枠状部材４４０５，４４０６に取り付けるので、従来のような裸状態の液晶パネルを筐体内に収納配置する構成と比較して、液晶パネル４４１の取り扱い時に他の部材に衝突して該液晶パネル４４１が破損することを回避できる。
【００９５】
ここで、支持枠体４４０９の開口部４４０９Ａ１の内側面には、内側に向けて突出する複数の突起部４４０９Ａ５が形成されているので、複数の突起部４４０９Ａ５により開口部４４０９Ａ１の内側面と液晶パネル４４１の外周面との間に所定の隙間を形成できる。このため、複数の突起部４４０９Ａ５先端位置により液晶パネル４４１の外形位置を良好に規制しつつ、前記隙間に接着剤を充填することで支持枠体４４０９に対して液晶パネル４４１を容易にかつ、確実に位置決め固定できる。
また、支持枠体４４０９が支持枠体本体４４０９Ａおよび支持補助部４４０９Ｂで構成され、支持補助部４４０９Ｂには凹部４４０９Ｂ２が形成されているので、凹部４４０９Ｂ２と支持枠体本体４４０９Ａの光束入射側端面とで形成される空間内に液晶パネル４４１のフレキシブルプリント基板４４１Ｅを遊嵌状態で配置させることができる。このため、光変調素子保持体４４０２を組み立てた状態では、第２弾性部材４４０７Ｂおよび枠状部材４４０５によりフレキシブルプリント基板４４１Ｅが押圧されることなく、フレキシブルプリント基板４４１Ｅに負荷を与えない状態で良好に配置させることができる。また、例えば、駆動基板４４１Ｃおよび対向基板４４１Ｄに対するフレキシブルプリント基板４４１Ｅの接着剤による接着部位が膨出している場合であっても、前記空間内に接着部位を配置することができ、接着部位に余計な負荷をかけることがない。さらに、支持補助部４４０９Ｂにより第２弾性部材４４０７Ｂを確実に押圧することができ、第２弾性部材４４０７Ｂによる枠状部材４４０５と支持枠体４４０９および液晶パネル４４１との間での防水性を良好に確保できる。
【００９６】
さらに、支持枠体４４０９に液晶パネル４４１を組み込んだ状態では、支持枠体４４０９の光束入射側端面および光束射出側端面と液晶パネル４４１の光束入射側端面および光束射出側端面とが略面一となるので、液晶パネル４４１の外周面を支持枠体４４０９の開口部４４０９Ａ１の内側面にて覆うことができる。このため、液晶パネル４４１の外周に冷却流体が接触することなく液晶パネル４４１内部に冷却流体が流入することを回避できるとともに、第２弾性部材４４０７Ｂおよび第３弾性部材４４０７Ｃが液晶パネル４４１側に逃げることなく一対の枠状部材４４０５，４４０６と支持枠体４４０９および液晶パネル４４１との間での防水性を良好に確保できる。
【００９７】
さらにまた、第２弾性部材４４０７Ｂおよび第３弾性部材４４０７Ｃが液晶パネル４４１および支持枠体４４０９の双方と平面的に干渉するように形成されているので、支持枠体４４０９および液晶パネル４４１の双方に跨るように第２弾性部材４４０７Ｂおよび第３弾性部材４４０７Ｃを配置でき、第２弾性部材４４０７Ｂおよび第３弾性部材４４０７Ｃによる一対の枠状部材４４０５，４４０６と支持枠体４４０９および液晶パネル４４１との間での防水性を良好に確保しつつ、支持枠体４４０９および液晶パネル４４１の隙間から液晶パネル４４１内部に冷却流体が流入することを確実に防止できる。また、支持枠体４４０９は液晶パネル４４１の光束入射側および光束射出側と略面一となるので、液晶パネル４４１を組み立てた状態で、第２弾性部材４４０７Ｂおよび第３弾性部材４４０７Ｃが押圧されることによる反力を支持枠体４４０９および液晶パネル４４１の双方に分散でき、液晶パネル４４１にかかる第２弾性部材４４０７Ｂおよび第３弾性部材４４０７Ｃの反力を低減できる。このため、第２弾性部材４４０７Ｂおよび第３弾性部材４４０７Ｃによる液晶パネル４４１の歪みを抑制でき、液晶パネル４４１の歪みによる画質の劣化を抑制できる。
【００９８】
ここで、第３弾性部材４４０７Ｃの上端部は、弾性部材４４０７Ｃ１および弾性部材４４０７Ｃ３で構成され、弾性部材４４０７Ｃ１の厚み寸法が弾性部材４４０７Ｃ３の厚み寸法よりも大きく設定されているので、光変調素子保持体４４０２を組み立てた状態で、第３弾性部材４４０７Ｃが押圧されることによる反力を主に支持枠体４４０９側にかけることができる。このため、第３弾性部材４４０７Ｃによる枠状部材４４０６と支持枠体４４０９および液晶パネル４４１との間での防水性を良好に維持しつつ、液晶パネル４４１の歪みによる画質の劣化をさらに抑制できる。
また、弾性部材４４０７は、一方の端面が平面形状を有し、他方の端面が球面形状を有する断面略半円状に形成されているので、例えば、弾性部材４４０７が断面略矩形状に形成されている構成と比較して、光変調素子保持体４４０２を組み立てた状態で、弾性部材４４０７が押圧されることによる該弾性部材４４０７の反力を良好に分散させることができる。したがって、冷却室Ｒ１，Ｒ２の防水性を良好に維持しつつ、液晶パネル４４１にかかる第２弾性部材４４０７Ｂおよび第３弾性部材４４０７Ｃの反力を低減させることができ液晶パネル４４１の歪みによる画質の劣化をさらに一層抑制できる。
このように断面略半円形状とした場合であっても、第２弾性部材４４０７Ｂおよび第３弾性部材４４０７Ｃは、その平面形状を有する端面が液晶パネル４４１および支持枠体４４０９に当接するように設置されるので、液晶パネル４４１および支持枠体４４０９との接合面積を十分に確保でき、液晶パネル４４１および支持枠体４４０９の隙間に冷却流体が流入する虞がない。
【００９９】
さらに、光変調素子保持体４４０２を組み立てた際、一対の枠状部材４４０５，４４０６における第１凹部４４０５Ｂ１，４４０６Ｇ１の開口部分が支持枠体４４０９および液晶パネル４４１にて閉塞されて弾性部材収納部４４０７Ｅが形成されるので、弾性部材４４０７Ｂ１，４４０７Ｃ１が押圧された際の反力、および各冷却室Ｒ１，Ｒ２内の冷却流体の圧力変化等によっても、弾性部材４４０７Ｂ１，４４０７Ｃ１が位置ずれを起こすことがない。したがって、弾性部材４４０７Ｂ１，４４０７Ｃ１により一対の枠状部材４４０５，４４０６と支持枠体４４０９および液晶パネル４４１との間での防水性をさらに一層確保できる。
【０１００】
そして、枠状部材４４０５，４４０６には左右側端部にそれぞれ３つのフック４４０５Ｈ，４４０６Ｌが形成され、偏光板固定部材４４０８Ａ，４４０８Ｂの左右側端縁にはフック４４０５Ｈ，４４０６Ｌに対応して３つのフック係合部４４０８Ａ２，４４０８Ｂ２がそれぞれ形成されているので、これらフック４４０５Ｈ，４４０６Ｌおよびフック係合部４４０８Ａ２，４４０８Ｂ２をそれぞれ係合させることで、第１弾性部材４４０７Ａおよび第４弾性部材４４０７Ｄを介して入射側偏光板４４２および射出側偏光板４４３を一対の枠状部材４４０５，４４０６に対して良好に押圧固定でき、第１弾性部材４４０７Ａおよび第４弾性部材４４０７Ｄにより一対の枠状部材４４０５，４４０６と入射側偏光板４４２および射出側偏光板４４３との間での防水性を良好に確保できる。
【０１０１】
ここで、３つのフック４４０５Ｈ，４４０６Ｌは、枠状部材４４０５，４４０６における左側端部および右側端部において、上下方向端部近傍、および上下方向略中央部分に形成され、上下方向略中央部分を中心として対称配置されている。また、３つのフック係合部４４０８Ａ２，４４０８Ｂ２も同様である。このため、一対の枠状部材４４０５，４４０６に対する一対の偏光板固定部材４４０８Ａ，４４０８Ｂの接続箇所が、平面的に見て矩形状の四隅位置、および左右端縁の上下方向略中央部分に位置し、略均等配置されることとなる。このことにより、一対の偏光板固定部材４４０８Ａ，４４０８Ｂを一対の枠状部材４４０５，４４０６に対して設置した際に入射側偏光板４４２および射出側偏光板４４３と一対の枠状部材４４０５，４４０６とで押圧される第１弾性部材４４０７Ａおよび第４弾性部材４４０７Ｄの潰し代を略均一化でき、第１弾性部材４４０７Ａおよび第４弾性部材４４０７Ｄにより一対の枠状部材４４０５と入射側偏光板４４２および射出側偏光板４４３との間での防水性をさらに良好に確保できるとともに、一対の枠状部材４４０５，４４０６に対して入射側偏光板４４２および射出側偏光板４４３をさらに良好に押圧固定できる。
【０１０２】
そして、光学装置本体４４０は、支持部材４４０３を備えているので、光変調素子保持体４４０２の支持枠体４４０９の取付孔４４０９Ａ８に支持部材４４０３に突設されたピン状部材４４０３Ａを挿通し、支持部材４４０３と光変調素子保持体４４０２とを接着固定し、クロスダイクロイックプリズム４４４の光束入射側端面に対して支持部材４４０３の光束射出側端面を取り付けることで、３つの光変調素子保持体４４０２とクロスダイクロイックプリズム４４４とを容易に一体化することができる。
また、ピン状部材４４０３Ａの外側面、および取付孔４４０９Ａ８の内側面を摺動面とし支持部材４４０３に対して光変調素子保持体４４０２を移動させ、さらに、支持部材４４０３の光束射出側端面、およびクロスダイクロイックプリズム４４４の光束入射側端面を摺動面としクロスダイクロイックプリズム４４４に対して支持部材４４０３を移動させれば、各液晶パネル４４１Ｒ，４４１Ｇ，４４１Ｂの相互の位置調整を容易に実施でき、各液晶パネル４４１Ｒ，４４１Ｇ，４４１Ｂを所定位置に容易に設置できる。このため、光学装置本体４４０にて画素ずれのない良好な光学像を形成できる。
【０１０３】
そしてまた、プロジェクタ１は、液晶パネル４４１を所定位置に容易に配置できる光学装置本体４４０を備えているので、光源装置４１１から射出された光束の照明光軸Ａに対する各液晶パネル４４１Ｒ，４４１Ｇ，４４１Ｂの相互の位置がずれることがなく、画素ずれのない良好な光学像をスクリーン上に投影させることができる。
【０１０４】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
前記第１実施形態では、第２弾性部材４４０７Ｂおよび第３弾性部材４４０７Ｃは、液晶パネル４４１および支持枠体４４０９に跨るように、支持枠体４４０９および液晶パネル４４１の双方と、一対の枠状部材４４０５，４４０６との間にそれぞれ設置される。
これに対して第２実施形態では、第２弾性部材５４０７Ｂおよび第３弾性部材５４０７Ｃは、液晶パネル４４１に当接することなく、支持枠体４４０９のみと、一対の枠状部材５４０５，５４０６との間にそれぞれ設置される。また、液晶パネル４４１は、一対の枠状部材５４０５，５４０６に接着剤にて固着される。第２弾性部材５４０７Ｂ、第３弾性部材５４０７Ｃ、および一対の枠状部材５４０５，５４０６以外の構成は、前記第１実施形態と同様のものとする。
【０１０５】
図１７は、第２実施形態における第２弾性部材５４０７Ｂおよび第３弾性部材５４０７Ｃの設置位置、および枠状部材５４０５，５４０６の形状を示す図である。具体的に、図１７は、第２実施形態における光変調素子保持体４４０２の縦断面の要部を示す図である。
一対の枠状部材５４０５，５４０６は、前記第１実施形態で説明した一対の枠状部材４４０５，４４０６とそれぞれ略同様であり、異なる点は、第１凹部４４０５Ｂ１，４４０６Ｇ１に相当する第１凹部５４０５Ｂ，５４０６Ｇが２つの領域に区画されている点のみである。
すなわち、第１凹部５４０５Ｂ，５４０６Ｇは、図１７に示すように、第２弾性部材５４０７Ｂ，５４０７Ｃがそれぞれ設置される第１領域５４０５Ｂ１，５４０６Ｇ１と、接着剤が充填される第２領域５４０５Ｂ２，５４０６Ｇ２とに区画されている。
第１領域５４０５Ｂ１，５４０６Ｇ１は、光変調素子保持体４４０２を組み立てた状態で、液晶パネル４４１と平面的に干渉することなく、支持枠体４４０９にのみ平面的に干渉するように、平面視矩形枠状に形成されている。
第２領域５４０５Ｂ２，５４０６Ｇ２は、第１領域５４０５Ｂ１，５４０６Ｇ１の内側に形成され、光変調素子保持体４４０２を組み立てた状態で、液晶パネル４４１の外周端部と平面的に干渉するように、平面視矩形枠状に形成されている。
【０１０６】
第２弾性部材５４０７Ｂおよび第３弾性部材５４０７Ｃは、前記第１実施形態で説明した第１弾性部材４４０７Ａおよび第４弾性部材４４０７Ｃと同様に、平面視矩形枠形状を有するとともに、断面略半円形状を有している。なお、第２弾性部材５４０７Ｂおよび第３弾性部材５４０７Ｃの材料としては、前記第１実施形態で説明した第２弾性部材４４０７Ｂおよび第３弾性部材４４０７Ｃと同一の材料を採用できる。
【０１０７】
そして、光変調素子保持体４４０２を組み立てる際には、一対の枠状部材５４０５，５４０６の第１領域５４０５Ｂ１，５４０６Ｇ１と、支持枠体４４０９との間に形成される弾性部材収納部５４０７Ｅに、第２弾性部材５４０７Ｂおよび第３弾性部材５４０７Ｃを設置する。この際、図１７に示すように、第２弾性部材５４０７Ｂおよび第３弾性部材５４０７Ｃの曲面を一対の枠状部材５４０５，５４０６側に配置する。
また、一対の枠状部材５４０５，５４０６の第２領域５４０５Ｂ２，５４０６Ｇ２と、液晶パネル４４１との間に形成される空間に、前記第１実施形態で説明した支持枠体本体４４０９Ａに対する液晶パネル４４１の位置決めの際に用いた接着剤と同様の接着剤を充填し、一対の枠状部材５４０５，５４０６と液晶パネル４４１とを固着する。
【０１０８】
上述した第２実施形態においては、前記第１実施形態と比較して、第２弾性部材５４０７Ｂおよび第３弾性部材５４０７Ｃは、液晶パネル４４１と平面的に干渉することなく支持枠体４４０９のみと一対の枠状部材５４０５，５４０６の第１領域５４０５Ｂ１，５４０６Ｇ１との間に形成される弾性部材収納部５４０７Ｅにそれぞれ配置され、一対の枠状部材５４０５，５４０６における第２領域５４０５Ｂ２，５４０６Ｇ２と液晶パネル４４１との間の空間には接着剤が充填されるので、これら第２弾性部材５４０７Ｂ，５４０７Ｃ、および接着剤の双方により一対の枠状部材５４０５，５４０６と支持枠体４４０９および液晶パネル４４１との間での防水性を良好に確保できる。また、第２弾性部材５４０７Ｂおよび第３弾性部材５４０７Ｃが液晶パネル４４１および支持枠体４４０９の双方に平面的に干渉しなくても、液晶パネル４４１の外形位置よりも内側に接着剤が位置するので、接着剤にて冷却流体を封止することで支持枠体４４０９と液晶パネル４４１との隙間に冷却流体が流入する虞もない。
また、光変調素子保持体４４０２を組み立てた状態で第２弾性部材５４０７Ｂおよび第３弾性部材５４０７Ｃが押圧されても、押圧による第２弾性部材５４０７Ｂおよび第３弾性部材５４０７Ｃの反力が液晶パネル４４１にかかることはない。このため、液晶パネル４４１が第２弾性部材５４０７Ｂおよび第３弾性部材５４０７Ｃの反力により歪むこともなく、液晶パネル４４１の歪みによる画質の劣化が生じることもない。
さらに、一対の枠状部材５４０５，５４０６の第２領域５４０５Ｂ２，５４０６Ｇ２と液晶パネル４４１との間に接着剤が充填されるので、接着剤が液晶パネル４４１の不要な部分、例えば、画像形成領域に付着することを回避できる。
【０１０９】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
前記第１実施形態では、第２弾性部材４４０７Ｂは、支持枠体４４０９および枠状部材４４０５の間に配置される部分と、液晶パネル４４１および枠状部材４４０５の間に配置される部分とが同一のゴム部材にて構成されている。また、第３弾性部材４４０７Ｃも同様である。
これに対して第３実施形態では、第２弾性部材６４０７Ｂは、支持枠体４４０９および枠状部材４４０５の間に配置される部分と、液晶パネル４４１および枠状部材４４０５の間に配置される部分とが異なるゴム部材にて一体的に構成されている。また、第３弾性部材６４０７Ｃも同様である。第２弾性部材６４０７Ｂおよび第３弾性部材６４０７Ｃ以外の構成は、前記第１実施形態と同様のものとする。
【０１１０】
図１８は、第３実施形態における第２弾性部材６４０７Ｂおよび第３弾性部材６４０７Ｃの構造を示す図である。具体的に、図１８は、第３実施形態における光変調素子保持体４４０２の縦断面の要部を示す図である。
なお、第２弾性部材６４０７Ｂおよび第３弾性部材６４０７Ｃの構造は略同一であり、以下では、第２弾性部材６４０７Ｂのみの構造を説明する。また、図１８では、第２弾性部材６４０７Ｂと第３弾性部材６４０７Ｃにおいて、同一部材には同一符号を付す。
第２弾性部材６４０７Ｂは、前記第１実施形態で説明した第２弾性部材４４０７Ｂと同様に、平面視略矩形枠状に形成され、支持枠体４４０９および液晶パネル４４１を跨って支持枠体４４０９および液晶パネル４４１と枠状部材４４０５の第１凹部４４０５Ｂ１との間に形成される弾性部材収納部４４０７Ｅに設置される。
【０１１１】
この第２弾性部材６４０７Ｂは、図１８に示すように、支持枠体４４０９および第１凹部４４０５Ｂ１の間に配置される基部６４０７Ｂ１と、液晶パネル４４１および第１凹部４４０５Ｂ１の間に配置される二色成形部６４０７Ｂ２とで構成される。
基部６４０７Ｂ１は、前記第２実施形態で説明した第２弾性部材４４０７Ｂと同様に硬度Ｈｓが３０〜５０のゴム部材から構成されるとともに断面半円形状を有し、曲面側が第１凹部４４０５Ｂ１に対向し、平面側が支持枠体４４０９に対向するように設置される。
【０１１２】
二色成形部６４０７Ｂ２は、図１８に示すように、基部６４０７Ｂ１と同一材料からなる内面層６４０７Ｂ３と、内面層６４０７Ｂ３と異なる材料からなる表面層６４０７Ｂ４から構成され、二色成形で形成されている。
内面層６４０７Ｂ３は、基部６４０７Ｂ１と同一の材料から構成され、図１８に示すように、接続部６４０７Ｂ５を介して基部６４０７Ｂ１と一体的に形成されたものである。この内面層６４０７Ｂ３は、断面視略球形状を有し、その球形状の直径寸法が基部６４０７Ｂ１の厚み寸法よりも小さくなるように設定されている。
【０１１３】
接続部６４０７Ｂ５は、断面略矩形形状を有し、その厚み寸法が内面層６４０７Ｂ３の直径寸法よりも小さくなるように設定され、内面層６４０７Ｂ３および基部６４０７Ｂ１の光軸方向略中央部分を接続するように形成されている。
表面層６４０７Ｂ４は、基部６４０７Ｂ１、内面層６４０７Ｂ３、および接続部６４０７Ｂ５の硬度Ｈｓよりも低い硬度Ｈｓを有するゴム部材から構成され、内面層６４０７Ｂ３の球形状を維持するように二色成形されたものである。
そして、二色成形部６４０７Ｂ２は、その球形状の直径寸法が基部６４０７Ｂ１の光軸方向の厚み寸法よりも小さくなるように形成されている。
【０１１４】
上述した第３実施形態においては、前記第１実施形態と比較して、第２弾性部材６４０７Ｂおよび第３弾性部材６４０７Ｃは、基部６４０７Ｂ１と二色成形部６４０７Ｂ２とで構成され、二色成形部６４０７Ｂ２の表面層６４０７Ｂ４の硬度Ｈｓが基部６４０７Ｂ１の硬度Ｈｓよりも低くなるように設定されているので、光変調素子保持体４４０２を組み立てた状態で、第２弾性部材６４０７Ｂおよび第３弾性部材６４０７Ｃが押圧されることにより液晶パネル４４１側にかかる反力を低減させることができる。このため、第２弾性部材６４０７Ｂおよび第３弾性部材６４０７Ｃによる一対の枠状部材４４０５，４４０６と支持枠体４４０９および液晶パネル４４１との間での防水性を良好に維持しつつ、液晶パネル４４１の歪みによる画質の劣化を抑制できる。特に、二色成形部６４０７Ｂ２は、対向基板４４１Ｄの角部直近を押圧する構造であるが、硬度が低いので角部の端面側にもつぶれ込んで密着するので、接触面積を増やして確実な防水機能を実現できる。
また、基部６４０７Ｂ１の光軸方向の厚み寸法は、二色成形部６４０７Ｂ２の球状の直径寸法よりも大きくなるように設定されているので、第２弾性部材６４０７Ｂおよび第３弾性部材６４０７Ｃが押圧されることによる液晶パネル４４１にかかる反力をさらに低減させることができ、液晶パネル４４１の歪みによる画質の劣化をさらに抑制できる。
さらに、第２弾性部材６４０７Ｂおよび第３弾性部材６４０７Ｃを二色成形で形成するので、基部６４０７Ｂ１と二色成形部６４０７Ｂ２とを容易に一体成形できるとともに、これら基部６４０７Ｂ１および二色成形部６４０７Ｂ２における表面硬度を異なる硬度で容易に形成できる。
また、液晶パネル４４１の入射面および射出面と支持枠体４４０９の厚みが略同一設計としてあるが、厳密には製造ばらつきおよび接着剤の硬化収縮によって液晶パネル４４１のいずれかの面が微小ながら飛び出すこともあり得る。しかし、第２実施形態においては、第２弾性部材５４０７Ｂ、または第３弾性部材５４０７Ｃのつぶし力がかかることを完全回避でき、第３実施形態においては、第２弾性部材６４０７Ｂ、または第３弾性部材６４０７Ｃのつぶし力がかかることを軽減するなど製造ばらつきを吸収することが可能となる。
【０１１５】
以上、本発明について好適な実施形態を挙げて説明したが、本発明は、これらの実施形態に限定されるものではなく、本発明の要旨を逸脱しない範囲において種々の改良並びに設計の変更が可能である。
前記各実施形態において、光変調素子保持体４４０２は、各１つの流入口４４０５Ｉおよび流出口４４０６Ｉを有していたが、これに限らず、これら流入口４４０５Ｉおよび流出口４４０６Ｉを省略し、冷却室Ｒ１，Ｒ２内に冷却流体を密閉封入する構成としてもよく、各冷却室Ｒ１，Ｒ２に応じて流入口および流出口をそれぞれ形成する構成としてもよい。
また、流入口４４０５Ｉおよび流出口４４０６Ｉを省略し、冷却室Ｒ１，Ｒ２内に冷却流体を密閉封入する構成とした場合には、一対の枠状部材４４０５，４４０６，５４０５，５４０６に挿通孔４４０５Ｄ，４４０６Ｃおよび筒状部４４０５Ｃ，４４０６Ｄを形成しなくてもよい。このような構成では、各冷却室Ｒ１，Ｒ２間を冷却流体が流通することがないので、挿通孔４４０６Ｃ，４４０５Ｄと筒状部４４０５Ｃ，４４０６Ｄの接続部位から冷却流体が漏れることがなく、冷却流体の防水性をさらに確保できる。
さらに、流入口４４０５Ｉおよび流出口４４０６Ｉを省略し、各冷却室Ｒ１，Ｒ２内に冷却流体を密閉封入する構成とした場合には、一対の枠状部材４４０５，４４０６，５４０５，５４０６のうち少なくともいずれかの枠状部材に、対向する枠状部材に対して突出する突起部を設け、さらに、支持枠体４４０９に前記突起部と嵌合可能な嵌合部を設ければ、一対の枠状部材に対する支持枠体４４０９の組み込みを容易に実施でき、光変調素子保持体４４０２を容易に組み立てることができる。この場合、前記突起部および前記嵌合部の数および形成位置は特に限定されない。
【０１１６】
前記各実施形態において、光変調素子保持体４４０２における流入口４４０５Ｉおよび流出孔４４０６Ｉの形成位置、および冷却流体の流通方向は、前記各実施形態で説明した形成位置、および流通方向に限らない。例えば、冷却流体の流通方向を逆にし、流入口４４０５Ｉおよび流出口４４０６Ｉをそれぞれ流出口および流入口としてそれぞれ機能させる構成を採用してもよい。
【０１１７】
前記第１実施形態および前記第３実施形態では、第２弾性部材４４０７Ｂ，６４０７Ｂおよび第３弾性部材４４０７Ｃ，６４０７Ｃは、液晶パネル４４１および支持枠体４４０９の双方と平面的に干渉するように形成されている。
また、前記第２実施形態では、第２弾性部材５４０７Ｂおよび第３弾性部材５４０７Ｃは、支持枠体４４０９にのみ平面的に干渉するように形成されている。
上述した構成に限らず、第２弾性部材および第３弾性部材を、液晶パネル４４１のみと平面的に干渉するように形成しても、本発明の目的を十分に達成できる。
【０１１８】
前記各実施形態では、支持枠体４４０９には、４つの突出部４４０９Ａ７が形成されていたが、少なくとも２つの突出部４４０９Ａ７が形成されていればよい。また、支持部材４４０３のピン状部材４４０３Ａも突出部４４０９Ａ７の数に対応して形成すればよい。
前記各実施形態では、第１弾性部材４４０７Ａ、第２弾性部材４４０７Ｂ，５４０７Ｂ，６４０７Ｂ、第３弾性部材４４０７Ｃ，５４０７Ｃ，６４０７Ｃ、および第４弾性部材４４０７Ｄは、断面略半円状に形成されていたが、これに限らない。弾性部材としては、一方の端面が平面状に形成され、一方の端面から他方の端面にかけて断面積が次第に縮小する形状を有していればよく、例えば、断面略台形状、あるいは断面略三角形状等で構成してもよい。
【０１１９】
前記各実施形態では、光学装置４４において、メインタンク４４５、流体圧送部４４６、およびラジエータ４４７を備えた構成を説明したが、これに限らず、これらメインタンク４４５、流体圧送部４４６、およびラジエータ４４７のうち少なくともいずれかを省略した構成も本発明の目的を十分に達成できる。
【０１２０】
前記各実施形態では、一対の枠状部材４４０５，４４０６，５４０５，５４０６の外面に入射側偏光板４４２および射出側偏光板４４３を配置し、該入射側偏光板４４２および射出側偏光板４４３の透光性基板４４２Ａ，４４３Ａにて各冷却室Ｒ１，Ｒ２を閉塞していたが、これに限らず、偏光膜が貼り付けられていないガラス等の透光性基板で各冷却室Ｒ１，Ｒ２を閉塞してもよい。この際、入射側偏光板および射出側偏光板としては、前記各実施形態で説明した吸収型偏光板ではなく、所定の偏光軸を有する光束を透過し、その他の偏光軸を有する光束を反射する反射型偏光板とすれば、入射側偏光板および射出側偏光板を冷却流体にて冷却しなくても、光源から射出される光束による温度上昇を抑制できる。
また、入射側偏光板４４２、および射出側偏光板４４３を冷却流体にて冷却する構成を採用したが、これに限らず、位相差板、あるいは視野角補正板を一対の枠状部材４４０５，４４０６，５４０５，５４０６の外面に配置し、これらを冷却する構成を採用してもよい。
【０１２１】
前記各実施形態において、冷却流体と接触する部材である、流体循環部材４４８、メインタンク４４５、流体圧送部４４６、ラジエータ４４７の管状部材４４７２、枠状部材４４０５，４４０６，５４０５，５４０６、中継タンク４４０４、支持枠体４４０９は、アルミニウム製の部材から構成したが、これに限らない。耐食性を有する材料であれば、アルミニウムに限らず、他の材料にて構成してもよく、例えば、無酸素銅やジュラルミンにて構成してもよい。また、支持枠体４４０９は、枠状部材４４０５，４４０６，５４０５，５４０６と同一材料にて構成しなくてもよく、アルミニウム以外の材料から構成してもよい。特に、支持部材４４０３と同一材料（例えば、鉄系）とすれば膨張係数を略同じにすることができ、温度変化に伴う画素ずれへの影響を最小化できる。さらに、流体循環部材４４８としては、光変調素子保持体４４０２への変形反力が小さく画素ずれを抑制する硬度の低いブチルゴムまたはフッ素ゴム等を使用してもよい。
【０１２２】
前記各実施形態では、各光変調素子保持体４４０２内に流入する冷却流体の流量は、略同一に設定されていたが、これに限らず、各光変調素子保持体４４０２内に流入する冷却流体の流量を異なるものとする構成を採用してもよい。
例えば、流体分岐部４４０１から各光変調素子保持体４４０２に流通する流路中に弁を設け、該弁の位置を変更することで流路を狭めたり拡げたりする構成を採用してもよい。
また、例えば、流体分岐部４４０１と各光変調素子保持体４４０２とを接続する各流体循環部材４４８を各液晶パネル４４１Ｒ，４４１Ｇ，４４１Ｂの発熱量に応じて異なる管径寸法とする構成を採用してもよい。
【０１２３】
前記各実施形態では、シロッコファン３１の送風によって、光変調素子保持体４４０２の外面ならびに光学部品用筐体４５の底面を冷却していたが、これに限らず、シロッコファン３１を省略しても本発明の目的を十分に達成できる。このような構成では、低騒音化に寄与できる。
【０１２４】
前記各実施形態では、光学ユニット４が平面視略Ｌ字形状を有した構成を説明したが、これに限らず、例えば、平面視略Ｕ字形状を有した構成を採用してもよい。
前記各実施形態では、３つの液晶パネル４４１を用いたプロジェクタ１の例のみを挙げたが、本発明は、１つの液晶パネルのみを用いたプロジェクタ、２つの液晶パネルのみを用いたプロジェクタ、あるいは、４つ以上の液晶パネルを用いたプロジェクタにも適用可能である。
前記各実施形態では、光入射面と光射出面とが異なる透過型の液晶パネルを用いていたが、光入射面と光射出面とが同一となる反射型の液晶パネルを用いてもよい。
前記各実施形態では、光変調素子として液晶パネルを用いていたが、マイクロミラーを用いたデバイスなど、液晶以外の光変調素子を用いてもよい。この場合は、光束入射側および光束射出側の偏光板は省略できる。
前各記実施形態では、スクリーンを観察する方向から投写を行なうフロントタイプのプロジェクタの例のみを挙げたが、本発明は、スクリーンを観察する方向とは反対側から投写を行なうリアタイプのプロジェクタにも適用可能である。
【０１２５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１２６】
本発明の光変調素子保持体は、冷却流体により光変調素子を冷却できかつ、光変調素子を所定位置に位置決めできるため、ホームシアターやプレゼンテーションで利用されるプロジェクタの光変調素子保持体として有用である。
【図面の簡単な説明】
【０１２７】
【図１】第１実施形態におけるプロジェクタの概略構成を模式的に示す図。
【図２】前記実施形態におけるプロジェクタ内の一部を上方側から見た斜視図。
【図３】前記実施形態におけるプロジェクタ内の一部を下方側から見た斜視図。
【図４】前記実施形態におけるメインタンクの構造を示す図。
【図５】前記実施形態における光学装置本体の概略構成を示す図。
【図６】前記実施形態における光学装置本体の概略構成を示す図。
【図７】前記実施形態における流体分岐部の構造を示す図。
【図８】前記実施形態における光変調素子保持体の概略構成を示す分解斜視図。
【図９】前記実施形態における枠状部材の概略構成を示す図。
【図１０】前記実施形態における枠状部材の概略構成を示す図。
【図１１】前記実施形態における支持枠体の概略構成を示す分解斜視図。
【図１２】前記実施形態における支持枠体に液晶パネルを組み込んだ状態を示す図。
【図１３】前記実施形態における中継タンクの構造を示す図。
【図１４】前記実施形態におけるラジエータの構造、およびラジエータと軸流ファンとの配置関係を示す図。
【図１５】前記実施形態における液晶パネル、入射側偏光板、および射出側偏光板の冷却構造を説明するための図。
【図１６】前記実施形態における液晶パネル、入射側偏光板、および射出側偏光板の冷却構造を説明するための図。
【図１７】第２実施形態における第２弾性部材および第３弾性部材の設置位置、および枠状部材の形状を示す図。
【図１８】第３実施形態における第２弾性部材および第３弾性部材の構造を示す図。
【符号の説明】
【０１２８】
１・・・プロジェクタ、５・・・投射レンズ（投射光学装置）、４４・・・光学装置、４１１・・・光源装置、４４１，４４１Ｒ，４４１Ｇ，４４１Ｂ・・・液晶パネル（光変調素子）、４４１Ｃ・・・駆動基板、４４１Ｄ・・・対向基板、４４１Ｅ・・・フレキシブルプリント基板（回路基板）、４４２Ａ，４４３Ａ・・・透光性基板、４４４・・・クロスダイクロイックプリズム（色合成光学装置）、４４０２・・・光変調素子保持体、４４０３・・・支持部材、４４０３Ａ・・・ピン状部材、４４０５，４４０６，５４０５，５４０６・・・枠状部材、４４０５Ａ，４４０６Ａ・・・開口部、４４０５Ｂ１，４４０６Ｇ１・・・第１凹部、４４０５Ｈ，４４０６Ｌ・・・フック、４４０７Ａ・・・第１弾性部材、４４０７Ｂ，５４０７Ｂ，６４０７Ｂ・・・第２弾性部材、４４０７Ｃ，５４０７Ｃ，６４０７Ｃ・・・第３弾性部材、４４０７Ｄ・・・第４弾性部材、４４０７Ｅ，５４０７Ｅ・・・弾性部材収納部、４４０８Ａ，４４０８Ｂ・・・偏光板固定部材（透光性基板固定部材）、４４０８Ａ１，４４０８Ｂ１・・・開口部、４４０８Ａ２，４４０８Ｂ２・・・フック係合部、４４０９・・・支持枠体、４４０９Ａ・・・支持枠体本体、４４０９Ａ１・・・開口部、４４０９Ａ５・・・突起部、４４０９Ａ７・・・突出部、４４０９Ａ８・・・取付孔、４４０９Ｂ・・・支持補助部、４４０９Ｂ２・・・凹部、５４０５Ｂ１，５４０６Ｇ１・・・第１領域（凹部）、５４０５Ｂ２，５４０６Ｇ２・・・第２領域（凹部）、６４０７Ｂ３・・・内面層、６４０７Ｂ４・・・表面層、Ｒ１，Ｒ２・・・冷却室。
【図１】
2005275271.tif 000003
【図２】
2005275271.tif 000004
【図３】
2005275271.tif 000005
【図４】
2005275271.tif 000006
【図５】
2005275271.tif 000007
【図６】
2005275271.tif 000008
【図７】
2005275271.tif 000009
【図８】
2005275271.tif 000010
【図９】
2005275271.tif 000011
【図１０】
2005275271.tif 000012
【図１１】
2005275271.tif 000013
【図１２】
2005275271.tif 000014
【図１３】
2005275271.tif 000015
【図１４】
2005275271.tif 000016
【図１５】
2005275271.tif 000017
【図１６】
2005275271.tif 000018
【図１７】
2005275271.tif 000019
【図１８】
2005275271.tif 000020